(57)【要約】【課題】本発明は、Ｋ個のｅＰＤＣＣＨ検出クラスタの各ｅＰＤＣＣＨ検出クラスタまたは異なる伝送モードのｅＰＤＣＣＨ検出クラスタが検出される時に対応する復調基準信号ＤＭＲＳのアンテナポートインデックスを独立に設定すること、および／または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスインデックスを独立に設定すること、および／または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスと物理ダウンリンク共有チャネルＰＤＳＣＨのＤＭＲＳスクランブリングコードシーケンスとの対応関係を独立に設定することなどを含む。本発明は、同時に強化型ダウンリンク制御チャネルの検出方法および装置、強化型ダウンリンク制御チャネルの配置装置、端末および基地局を開示する。本発明により、ｅＰＤＣＣＨ検出クラスタがより強い安定性と配置の柔軟性を持つ。
2015534337.tif 000002
【特許請求の範囲】
【請求項１】
端末のためにＫ個のｅＰＤＣＣＨ検出クラスタを配置する、強化型ダウンリンク制御チャネルの配置方法であって、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する復調基準信号ＤＭＲＳのアンテナポートインデックスを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスと物理ダウンリンク共有チャネルＰＤＳＣＨのＤＭＲＳスクランブリングコードシーケンスとの対応関係を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する共通基準信号ＣＲＳレートマッチングリソースを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するチャネル状態情報ＣＳＩ測定プロセス配置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンク制御情報フォーマットＤＣＩ  ＦｏｒｍａｔまたはＤＣＩ  Ｆｏｒｍａｔ集合を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上のシグナリングを通知しないまたは取得しない場合のデフォルト値またはデフォルト動作を独立に事前に定義するまたは独立に設定すること、
ｅＰＤＣＣＨのために２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むことを、含む方法。
【請求項２】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであることを特徴とする
請求項１に記載の方法。
【請求項３】
前記Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置される場合、強化型制御チャネルユニットｅＣＣＥおよび／またはセル無線ネットワーク一時識別子Ｃ―ＲＮＴＩおよび／または事前定義済みルールに基づいて２つ以上のＤＭＲＳアンテナポートに１つのＤＭＲＳポートを検出ポートとして確定することを特徴とする
請求項２に記載の方法。
【請求項４】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係を独立に設定することであることを特徴とする
請求項１に記載の方法。
【請求項５】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、
ＣＲＳのポート数、ＣＲＳの周波数領域位置、ＣＲＳのセル識別子のうちの少なくとも一つを含むことを特徴とする
請求項１に記載の方法。
【請求項６】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、
ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含むことを特徴とする
請求項１に記載の方法。
【請求項７】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、
０、１、２、３、４、または、ＰＣＦＩＣＨを検出して取得されたｅＰＤＣＣＨ開始シンボルの数の値のうちの１つ以上を少なくとも一つを含むことを特徴とする
請求項１に記載の方法。
【請求項８】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、
前記端末のためにＣＳＩ  Ｐｒｏｃｅｓｓを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、
ここで、前記大規模な情報が、
ＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、
前記ＣＳＩ測定プロセスが、
ＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含むことを特徴とする
請求項１に記載の方法。
【請求項９】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、
前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
ここで、前記大規模な情報は、
ＮＺＰ  ＣＳＩ−ＲＳに対応する遅延拡張、ＮＺＰ  ＣＳＩ−ＲＳに対応する各経路遅延、ＮＺＰ  ＣＳＩ−ＲＳに対応するドップラーシフト、ＮＺＰ  ＣＳＩ−ＲＳに対応するドップラー拡張、ＮＺＰ  ＣＳＩ−ＲＳに対応する平均受信電力のうちの少なくとも一つを含むことを特徴とする
請求項１に記載の方法。
【請求項１０】
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、
前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含むことを特徴とする
請求項１に記載の方法。
【請求項１１】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＰＤＣＣＨ検出サブフレームクラスタは、
前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示することを特徴とする
請求項１に記載の方法。
【請求項１２】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、
前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示することを特徴とする
請求項１に記載の方法。
【請求項１３】
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、
前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示することを特徴とする
請求項１に記載の方法。
【請求項１４】
前記伝送モードのｅＰＤＣＣＨ検出クラスタは、集中伝送型ｅＰＤＣＣＨ検出クラスタ、分散伝送型ｅＰＤＣＣＨ検出クラスタを含むことを特徴とする
請求項１乃至１３のいずれか１項に記載の方法。
【請求項１５】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンクスケジューリングインジケータフォーマットＤＣＩ  Ｆｏｒｍａｔを独立に設定することは、
特定のＫ値に対して、異なるＤＣＩ  Ｆｏｒｍａｔ集合を設定し、
特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を設定し、
各ｅＰＤＣＣＨ検出クラスタが検出されるＤＣＩ  Ｆｏｒｍａｔ集合を設定することを含むことを特徴とする
請求項１４に記載の方法。
【請求項１６】
強化型ダウンリンク制御チャネルの検出方法であって、
端末が強化型ダウンリンク制御チャネルを検出するステップと、
Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するステップと、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ利用可能なリソース要素を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ開始シンボルＩＤ集合を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルと検索空間開始位置を取得するステップ、
および／または、前記情報を取得しない場合、端末を独立に事前に定義するまたは配置して前記Ｋ個のｅＰＤＣＣＨ検出クラスタの各ｅＰＤＣＣＨ検出クラスタまたは異なる伝送モードのｅＰＤＣＣＨ検出クラスタに用いられるデフォルト値またはデフォルト動作を取得するステップ、
および／または、ｅＰＤＣＣＨのために２つ以上のサブフレーム検出クラスタを配置することを取得する場合、異なるサブフレーム検出クラスタに対して異なるｅＰＤＣＣＨ検出クラスタ配置及び／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むステップとを、含むことを特徴とする方法。
【請求項１７】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースがＣＲＳのポートの数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、３、４、またはＰＣＦＩＣＨを検出して取得されたｅＰＤＣＣＨ開始シンボルの数の値のうちの１つ以上を一つ少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ測定プロセスを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されたＣＳＩ測定プロセスとの関連情報を用いることを含み、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示することを特徴とする
請求項請求項１６に記載の方法。
【請求項１８】
前記取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定することを特徴とする
請求項１７に記載の方法。
【請求項１９】
前記伝送モードのｅＰＤＣＣＨ検出クラスタは、集中伝送型ｅＰＤＣＣＨ検出クラスタ、分散伝送型ｅＰＤＣＣＨ検出クラスタを含むことを特徴とする
請求項１６乃至１８のいずれか１項に記載の方法。
【請求項２０】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  Ｆｏｒｍａｔを取得することは、
端末が特定のＫ値に対して、異なるＤＣＩ  Ｆｏｒｍａｔ集合を用いて検出すること、
端末が特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を用いて検出すること、
端末が取得された各ｅＰＤＣＣＨ検出クラスタに対してＣＩ  Ｆｏｒｍａｔ集合を用いて検出することを含むことを特徴とする
請求項１９に記載の方法。
【請求項２１】
強化型ダウンリンク制御チャネルの配置装置であって、
端末のためにＫ個のｅＰＤＣＣＨ検出クラスタを配置するように配置される第一の配置ユニットと、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を独立に設定する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンクスケジューリングインジケータフォーマットＤＣＩ  ＦｏｒｍａｔまたはＤＣＩ  Ｆｏｒｍａｔ集合を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上シグナリングを通知しないまたは取得しない場合のデフォルト値またはデフォルト動作を独立に事前に定義するまたは独立に設定する、
および／または、ｅＰＤＣＣＨのために２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置を少なくとも一つ含む第二の配置ユニットとを、含む装置。
【請求項２２】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの関係を独立に設定し、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報が、ＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対してｅＰＤＣＣＨ検出サブフレームクラスタを独立に配置することを含み、前記ｅＰＤＣＣＨ検出サブフレームクラスタが、前記端末がどのサブフレームにｅＰＤＣＣＨを検出するか、どのサブフレームにＰＤＣＣＨを検出するかを指示して、または前記端末が異なるサブフレームクラスタに異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示することを特徴とする
請求項２１に記載の装置。
【請求項２３】
前記装置は、
Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置される場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定するように配置される確定ユニットをさらに含むことを特徴とする
請求項２２に記載の装置。
【請求項２４】
前記伝送モードのｅＰＤＣＣＨ検出クラスタは、集中型ｅＰＤＣＣＨ検出クラスタ、分散型ｅＰＤＣＣＨ検出クラスタを含むことを特徴とする
請求項２１乃至２３のいずれか１項に記載の装置。
【請求項２５】
前記第二の配置ユニットは、さらに、
特定のＫ値に対して、異なるＤＣＩ  Ｆｏｒｍａｔ集合を設定し、
特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を設定し、
各ｅＰＤＣＣＨ検出クラスタが検出されるＤＣＩ  Ｆｏｒｍａｔ集合を設定するように配置されることを特徴とする
請求項２４に記載の装置。
【請求項２６】
請求項２１乃至２５のいずれか１項に記載の強化型ダウンリンク制御チャネルの配置装置を含む基地局。
【請求項２７】
強化型ダウンリンク制御チャネルの検出装置であって、
強化型ダウンリンク制御チャネルを検出するように配置される検出ユニットと、
Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ利用可能なリソース要素を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ開始シンボルＩＤ集合を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルと検索空間開始位置を取得するように配置される、
および／または、前記情報を取得しない場合、端末を独立に事前に定義するまたは配置して前記Ｋ個のｅＰＤＣＣＨ検出クラスタの各ｅＰＤＣＣＨ検出クラスタまたは異なる伝送モードのｅＰＤＣＣＨ検出クラスタに用いられるデフォルト値またはデフォルト動作を取得するように配置される、
および／または、ｅＰＤＣＣＨに２つ以上のサブフレーム検出クラスタを配置することを取得する場合、異なるサブフレーム検出クラスタに対して、異なるｅＰＤＣＣＨ検出クラスタ配置及び／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むように配置される取得ユニットと、を含む装置。
【請求項２８】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上を少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記ｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示することを特徴とする
請求項２７に記載の装置。
【請求項２９】
前記装置は、
前記取得ユニットにより取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ―ＲＮＴＩおよび／または事前定義済みルールに基づいて２つ以上のＤＭＲＳのアンテナポートに１つのＤＭＲＳポートを検出ポートとして確定するように配置される確定ユニットをさらに含むことを特徴とする
請求項２８に記載の装置。
【請求項３０】
前記伝送モードのｅＰＤＣＣＨ検出クラスタは、集中型ｅＰＤＣＣＨ検出クラスタ、分散型ｅＰＤＣＣＨ検出クラスタを含むことを特徴とする
請求項２７乃至２９いずれか１項に記載の方法。
【請求項３１】
前記検出ユニットは、さらに、特定のＫ値に対して、異なるＤＣＩ  Ｆｏｒｍａｔ集合を用いて検出し、
特定のＫ個のｅＰＤＣＣＨ検出クラスタと特定の分散型伝送型および集中伝送型ｅＰＤＣＣＨ検出クラスタに対して異なるＤＣＩ  Ｆｏｒｍａｔ集合を用いて検出し、
取得された各ｅＰＤＣＣＨ検出クラスタに対してＤＣＩ  Ｆｏｒｍａｔ集合を用いて検出するように配置されることを特徴とする
請求項３０に記載の装置。
【請求項３２】
請求項２７乃至３１のいずれか１項に記載の強化型ダウンリンク制御チャネルの検出装置を含む端末。
【請求項３３】
端末向け上位層シグナリングおよび／またはダウンリンク制御情報ＤＣＩを用いて、ｅＰＤＣＣＨリソースを検出する時に、時間−領域リソースを共有するもう一つのＤＭＲＳアンテナポートがもう一つの端末のｅＰＤＣＣＨまたはＰＤＳＣＨ伝送に用いられるかを仮定する必要があるかどうかを端末に通知するように配置される基地局。
【請求項３４】
前記基地局は、さらに、Ｋ個のｅＰＤＣＣＨ検出クラスタを配置することで、ｅＰＤＣＣＨリソースを検出する時にＫ個のｅＰＤＣＣＨ検出クラスタに時間−周波数リソースを共有するもう一つのＤＭＲＳアンテナポートがもう一つの端末のｅＰＤＣＣＨまたはＰＤＳＣＨ伝送に用いられるかどうかを仮定するように端末を独立に配置するように配置されることを特徴とする
請求項３３に記載の基地局。
【請求項３５】
前記基地局は、Ｋ個のｅＰＤＣＣＨ検出クラスタを配置することで、ｅＰＤＣＣＨリソースを検出する時にＫ個のクラスタにおける一部又はすべてのクラスタに時間−周波数領域リソースを共有するもう一つのＤＭＲＳアンテナポートがもう一つの端末のｅＰＤＣＣＨまたはＰＤＳＣＨ伝送に用いられるからどうかを仮定するように端末を配置することを特徴とする
請求項３３に記載の基地局。
【請求項３６】
前記基地局は、Ｘ個のサブフレームクラスタを配置することで、ｅＰＤＣＣＨリソースを検出する時にＸ個のサブフレームクラスタにおける一部またはすべてのクラスタに時間−周波数領域リソースを共有するもう一つのＤＭＲＳアンテナポートがもう一つの端末のｅＰＤＣＣＨまたはＰＤＳＣＨ伝送に用いられるかどうかを仮定するように端末を配置することを特徴とする
請求項３３に記載の基地局。
【請求項３７】
前記ＤＭＲＳアンテナポートは、ポート１０７、１０８、１０９、１１０を含み、その中、ポート１０７、１０８が時間−周波数リソースを共有し、ポート１０９、１１０が時間−周波数リソースを共有することを特徴とする
請求項３３乃至３６のいずれか１項に記載の基地局。
【請求項３８】
端末向け上位層シグナリングおよび／またはＤＣＩを受信することで、ｅＰＤＣＣＨリソースを検出する時に、時間−周波数リソースを共有するＤＭＲＳアンテナポートがもう一つの端末のｅＰＤＣＣＨまたはＰＤＳＣＨ伝送に用いられるかを仮定する必要があるかどうかを取得するように配置される端末。
【請求項３９】
前記端末は、さらに、上位層シグナリングを受信することで配置されたＫ個のｅＰＤＣＣＨ検出クラスタを取得し、さらにｅＰＤＣＣＨリソースを検出する時にＫ個のｅＰＤＣＣＨ検出クラスタにもう一つの時間−周波数リソースを共有するＤＭＲＳアンテナポートがもう一つの端末のｅＰＤＣＣＨまたはＰＤＳＣＨ伝送チャネルに用いられるかどうかを仮定するように端末を独立に配置するための上位層シグナリングを受信し、受信された上位層シグナリングに基づいてＤＭＲＳのチャネル推定を行うように配置されることを特徴とする
請求項３８に記載の端末。
【請求項４０】
前記端末は、さらに、端末向け上位層シグナリングを受信することで配置されたＫ個のｅＰＤＣＣＨ検出クラスタを取得し、さらにｅＰＤＣＣＨリソースを検出する時にＫ個のｅＰＤＣＣＨ検出クラスタにもう一つの時間−周波数リソースを共有するＤＭＲＳアンテナポートがもう一つのユーザーのｅＰＤＣＣＨまたはＰＤＳＣＨ伝送チャネル伝送に用いられるかどうかを仮定するように端末を取得して配置するように配置されることを特徴とする
請求項３８に記載の端末。
【請求項４１】
前記端末は、さらに、端末向け上位層シグナリングを受信することで配置されたＫ個のｅＰＤＣＣＨ検出クラスタを取得し、さらに配置される端末がｅＰＤＣＣＨリソースを検出する時にＸ個のサブフレームクラスタの一部またはすべてのクラスタにもう一つの時間−周波数リソースを共有するＤＭＲＳアンテナポートがもう一つのユーザーのｅＰＤＣＣＨまたはＰＤＳＣＨ伝送に用いられるかどうかを仮定することを取得するように配置されることを特徴とする
請求項３８に記載の端末。
【請求項４２】
前記ＤＭＲＳアンテナポートは、ｅＰＤＣＣＨを復調するように配置され、ポート１０７、１０８、１０９、１１０を含み、その中、ポート１０７、１０８が時間−周波数リソースを共有し、ポート１０９、１１０が時間−周波数リソースを共有することを特徴とする
請求項３８乃至４１のいずれか１項に記載の端末。
【請求項４３】
ｅＰＤＣＣＨリソースを検出する時に、もう一つの時間−領域リソースを共有するＤＭＲＳアンテナポートがもう一つの端末のｅＰＤＣＣＨまたはＰＤＳＣＨ伝送に用いられないことを常時仮定するように配置される端末。
【請求項４４】
前記ＤＭＲＳアンテナポートは、ｅＰＤＣＣＨを復調するように配置され、ポート１０７、１０８、１０９、１１０を含み、その中、ポート１０７、１０８が時間−周波数リソースを共有し、ポート１０９、１１０が時間−周波数リソースを共有することを特徴とする
請求項４３に記載の端末。
【請求項４５】
ｅＰＤＣＣＨ伝送モードに基づいて、ｅＰＤＣＣＨリソースを検出する時に、時間−周波数リソースを共有するもう一つのＤＭＲＳアンテナポートがもう一つの端末のｅＰＤＣＣＨまたはＰＤＳＣＨ伝送に用いられるかどうかを仮定する必要があるかどうかを確定することを特徴とする端末。
【請求項４６】
前記端末が集中型ｅＰＤＣＣＨに配置された場合、前記端末は、ｅＰＤＣＣＨリソースを検出する時に、時間−周波数領域を共有するもう一つのＤＭＲＳアンテナポートがもう一つの端末のｅＰＤＣＣＨまたはＰＤＳＣＨ伝送に用いられないことを常時仮定するように配置されることを特徴とする
請求項４５に記載の端末。
【請求項４７】
前記端末が分散型ｅＰＤＣＣＨに配置された場合、前記端末は、ｅＰＤＣＣＨリソースを検出する時に、時間−周波数領域を共有するもう一つのＤＭＲＳアンテナポートがもう一つの端末のｅＰＤＣＣＨまたはＰＤＳＣＨ伝送に用いられないことを仮定できないように配置されることを特徴とする
請求項４５に記載の端末。
【請求項４８】
前記ＤＭＲＳアンテナは、ｅＰＤＣＣＨを復調するように配置され、ポート１０７、１０８、１０９、１１０を含み、その中、ポート１０７、１０８が時間−周波数リソースを共有し、ポート１０９、１１０が時間−周波数リソースを共有することを特徴とする
請求項４５乃至４７のいずれか１項に記載の端末。
【発明の詳細な説明】
【技術分野】
【０００１】
本発明は、強化型ダウンリンク制御チャネルの配置および検出技術に関し、特に強化型ダウンリンク制御チャネルの配置、検出方法および装置、基地局、端末に関する。
【背景技術】
【０００２】
長期発展型（ＬＴＥ：Ｌｏｎｇ  Ｔｅｒｍ  Ｅｖｏｌｕｔｉｏｎ）Ｒｅｌｅａｓｅ８／９（Ｒ８／９）において、チャネル品質の測定および受信されたデータシンボルの復調のために共通基準信号（ＣＲＳ：Ｃｏｍｍｏｎ  Ｒｅｆｅｒｅｎｃｅ  Ｓｉｇｎａｌ）が設計されるので、ユーザー装置（ＵＥ：Ｕｓｅｒ  Ｅｑｕｉｐｍｅｎｔ）がＣＲＳよりチャネルの測定を行うことができ、それによってＵＥがセル再選択およびターゲットセルへの切り替えを行うように決められ、且つＵＥの接続状態でチャネル品質の測定を行い、干渉レベルが高い場合、物理層が上位層に関する無線リンク接続失敗シグナリングにより接続をオフにすることができる。ＬＴＥ  Ｒ１０においてセルの平均のスペクトル利用率とセルエッジのスペクトル利用率および各ＵＥのスループット率をさらに向上させるために、チャネル状態情報基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）と復調基準信号（ＤＭＲＳ：ＤｅＭｏｄｕｌａｔｉｏｎ  Ｒｅｆｅｒｅｎｃｅ  Ｓｉｇｎａｌ）という２種類の基準信号をそれぞれ定義し、その中、ＣＳＩ−ＲＳがチャネルの測定に用いられ、ＣＳＩ−ＲＳに対する測定により、ＵＥが基地局（ｅＮＢ）へフィードバックする必要があるプリコーディング行列インジケータ（ＰＭＩ：Ｐｒｅｃｏｄｉｎｇｐ  Ｍａｔｒｉｘ  Ｉｎｄｉｃａｔｏｒ）、チャネル品質インジケータ（ＣＱＩ：Ｃｈａｎｎｅｌ  Ｑｕａｌｉｔｙ  Ｉｎｄｉｃａｔｏｒ）およびランクインジケータ（ＲＩ：Ｒａｎｋ  Ｉｎｄｉｃａｔｏｒ）を計算することができる。ＤＭＲＳは、ダウンリンク共有チャネルの復調に用いられ、ＤＭＲＳ復調についてビーム法を利用して異なる受信側と異なるセルの間の干渉を減少することができ、且つコードブックサイズによる性能低下を減らし、且つダウンリンク制御シグナリングのオーバヘッドを一定の程度で削減させることができる（物理ダウンリンク制御チャネルにＰＭＩのビットオーバヘッドを追加する必要がないため）。
【０００３】
ＬＴＥ  Ｒ８、Ｒ９およびＲ１０において物理ダウンリンク制御チャネルは、主に１つのサブフレームの前の１つまたは前の２つまたは前の３つの直交周波数分割多重（ＯＦＥＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに分布し、具体的な分布が異なるサブフレームタイプおよびＣＲＳのポート数に応じて設定される必要があり、下記の表１に示される。
【０００４】
【表１】
2015534337.tif 000003
各受信側が前の３つのシンボルにブラインド検出を行う必要があり、ブラインド検出の開始位置、制御チャネルの要素数および受信側に割り当てられた無線ネットワーク一時識別子が異なる制御情報と関連する。一般的に制御情報を共有制御情報と専有制御情報に分けることができ、共通制御情報が一般的に物理ダウンリンク制御チャネルの共通検索空間に配置され、専有制御情報が共通所有空間と専用検索空間に配置されることができる。受信側は、ブラインド検出の後に、現在のサブフレームに共通システムメッセージ、ダウンリンクスケジューリングまたはアップリンクスケジューリング情報が存在するかどうかを確定する。このようなダウンリンク制御情報について混合自動再送要求（ＨＡＲＱ：Ｈｙｂｒｉｄ  Ａｕｔｏｍａｔｉｃ  Ｒｅｐｅａｔ  Ｒｅｑｕｅｓｔ）フィードバックがないので、検出のビット誤り率が可能な限り低いことを保証する必要がある。
【０００５】
ＬＴＥ  Ｒ１０ヘテロジニアスネットワークにおいて、異なる基地局タイプが強く干渉するので、マクロ基地局（Ｍａｃｒｏ  ｅＮｏｄｅＢ）のマイクロ基地局（Ｐｉｃｏ）に対する干渉問題とホーム基地局（Ｈｏｍｅ  ｅＮｏｄｅＢ）のマクロ基地局（Ｍａｃｒｏ  ｅＮｏｄｅＢ）に対する干渉問題を考えると、リソースミューティング方法により異なるタイプの基地局の間の相互干渉問題を解決することが提案され、具体的なリソースミューティング方法が、ＡＢＳの方法のようなサブフレームに基づくミューティング（Ｍｕｔｉｎｇ）方法、ＣＲＳミューティング方法のようなリソース要素に基づく方法に分けられることができる。
【０００６】
以上の方法により、リソースの浪費を増加するだけではなく、スケジューリングに対して極大の制限をもたらし、特に、Ｍａｃｒｏ  ｅＮｏｄｅＢのＡＢＳ配置を考える場合に、Ｐｉｃｏが多く分布すると、Ｍａｃｒｏ  ｅＮｏｄｅＢのＡＢＳ配置が多く、このようにしてＭａｃｒｏ  ｅＮｏｄｅＢに大きな影響を与え、リソース浪費を増加するとともに、スケジューリング遅延を増やすことになる。しかも、制御チャネルに対してＡＢＳ下で異なる制御チャネルデータリソースの干渉を減少させることができるが、ＣＲＳリソースとデータリソースの干渉問題を解決できず、ＣＲＳミューティング方法に対してデータリソース間の干渉を解決できず、しかもこの方法の後方互換性が良くないので、アクセス遅延が増加するとともに、より多くの標準化の努力が必要になり得る。
【０００７】
ＬＴＥ  Ｒ１１段階により多くのユーザーを導入してマルチキャストブロードキャスト単一周波数ネットワーク（ＭＢＳＦＮ：Ｍｕｌｔｉｃａｓｔ  Ｂｒｏａｄｃａｓｔ  Ｓｉｎｇｌｅ  Ｆｒｅｑｕｅｎｃｙ  Ｎｕｔｗｏｒｋ）サブフレームで送信する可能性があり、このようにしてＭＢＳＦＮに設定された２つのＯＦＤＭシンボルによって搬送されることができるＰＤＣＣＨの容量が不足になり、Ｒ８／Ｒ９／Ｒ１０ユーザに対する後方互換性を保証するために、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）リソース上で新しい制御情報伝送リソース（以降ｅＰＤＣＣＨと略称される）を開く必要があり、しかもＲ１１段階にＣＯＭＰ技術が導入され、このような技術は、空間分割方式によりこのような異なるタイプのセルの間の干渉問題を解決することができ、且つリソースオーバーヘッドを節約し、ミューティングによるリソース浪費を避け、スケジューリングに対する制限を減少させる。しかし、現在の時間領域ＰＤＣＣＨの方式に従うと空間分割方法によりこの問題を解決できず、Ｒ８およびＲ９に対する後方互換性を考えると、時間領域ＰＤＣＣＨという制御チャネル方式を保留しなければならず、この場合にどのように空間分割技術により制御チャネル間の干渉を解決するかは、新しい制御チャネル−強化型物理ダウンリンク制御チャネル（ｅＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を導入する必要がある。ｅＰＤＣＣＨにより、より良い空間分割効果を達成し、異なるノードの間の物理ダウンリンク制御シグナリングの間の干渉を減少させ且つシステムＰＤＣＣＨの容量を向上させることができる。
【０００８】
Ｒ１１段階に検討されるもう一つの問題は、物理混合適応再送インジケータチャネル（ＰＨＩＣＨ：Ｐｈｙｓｉｃａｌ  Ｈｙｂｉｒｄ  ＡＲＱ  Ｉｎｄｉｃａｔｏｒ  Ｃｈａｎｎｅｌ）リソースが十分ではない問題である。Ｒ１１に対してより多くのアップリンクユーザーのサポートを考える必要があるので、特にシーン４において、サポート可能なアップリンクユーザーの数が明らかに多くなり、ＰＨＩＣＨの容量が大きく制限され、且つＲ１１検討中に、異なる端末が同じアップリンク時間−周波数リソース／循環シフト割り当て／ＣＳＨｏｐｐｉｎｇ割り当て／異なる基準信号シーケンスを備えることをサポートし、この場合に従来のＰＨＩＣＨ検出リソース割り当てを適用せず、ＰＨＩＣＨをさらに強化させる必要があり、したがってＰＨＩＣＨ強化技術をさらに研究することが必要となり、このような強化されたＰＨＩＣＨが強化型物理混合適応再送チャネル（ｅＰＤＣＣＨ：Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）と総呼される。
【０００９】
現在のＲ１１会議検討段階において、もう一つの検討問題は、共通検索空間制御シグナリングを強化する必要があるかどうかの問題であり、この問題が主に現在のＲ１０の共通検索空間の容量が制限されるかどうか、且つ異なるノードの間の干渉問題、特にＭａｃｒｏ（マクロセル）のＰｉｃｏ（マイクロセル）に対する干渉を考え、容量が制限されるまたは干渉問題が深刻になると、強化された共通検索空間を導入する必要がある。ＰＤＳＣＨ領域に時間−周波数リソース位置の干渉回避を行うことができるので、ＰＤＳＣＨ領域に基づく強化型共通検索空間は、現在のホットスポットであり、このようなＰＤＳＣＨ領域に基づく強化型共通検索空間は、強化型共通検索空間（ｅＣＳＳ：Ｅｎｈａｎｃｅｄ  Ｃｏｍｍｏｎ  Ｓｅａｒｃｈ  Ｓｐａｃｅ）と総称される。
【００１０】
最新の３ＧＰＰ７０回の会議の検討中に、以下の結論が初期形成され、
１つのｅＰＤＣＣＨ検出クラスタは、Ｎ個の物理リソースブロック（ＰＲＢ：Ｐｈｙｓｉｃａｌ  Ｒｅｓｏｕｒｃｅ  Ｂｌｏｃｋ）ペアから構成されることができ、
Ｎの値をＮ＝１（集中型ｅＰＤＣＣＨ）、２、４、８、１６（分散型ｅＰＤＣＣＨ）とすることができ、
分散型ｅＰＤＣＣＨを１つのｅＰＤＣＣＨ検出クラスタにＮ個のＰＲＢペアを利用して伝送し、
集中型ｅＰＤＣＣＨを１つのｅＰＤＣＣＨ検出クラスタに伝送し、さらに集中型ｅＰＤＣＣＨを１つより多いＰＲＢペアに伝送することをサポートするかどうかを検討する。
【００１１】
Ｋ≧１つのｅＰＤＣＣＨクラスタがＵＥ向け上位層シグナリングによって配置され、
Ｋの最大値が２、３、４又は６であり、
Ｋ個のクラスタが異なるＮ値に配置されることができ、
Ｋ個のクラスタの各クラスタに対するブラインド検出の総回数が独立し、
１つのＵＥに対するブラインド検出の総回数がＫ個のクラスタに割り当てられるべきであり、
各ｅＰＤＣＣＨ検出クラスタが集中型ｅＰＤＣＣＨに配置されるか、分散型ｅＰＤＣＣＨに配置され、
異なる論理のｅＰＤＣＣＨ検出クラスタのＰＲＢペアを完全に覆ったり、部分的に覆ったり、あるいは覆わない。
【発明の概要】
【発明が解決しようとする課題】
【００１２】
上記事情に鑑みて、本発明の主な目的は、Ｒ１１のｅＰＤＣＣＨ検出クラスタの配置情報を提供し、ｅＰＤＣＣＨ検出パラメータを柔軟に設定することができる、強化型ダウンリンク制御チャネルの配置、検出方法及び装置、基地局、端末を提供することにある。前記ｅＰＤＣＣＨ検出クラスタは、ｅＰＤＣＣＨを検出するサブフレームに含まれて１つ以上の、ｅＰＤＣＣＨ検出のための周波数領域リソースユニットを割り当てる。
【課題を解決するための手段】
【００１３】
上記目的を達成するために、本発明の技術的なスキームは、以下のように実現される。
【００１４】
端末にＫ個のｅＰＤＣＣＨ検出クラスタを配置する、強化型ダウンリンク制御チャネルの配置方法は、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する復調基準信号ＤＭＲＳのアンテナポートインデックスを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスと物理ダウンリンク共有チャネルＰＤＳＣＨのＤＭＲＳスクランブリングコードシーケンスとの対応関係を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する共通基準信号ＣＲＳレートマッチングリソースを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するチャネル状態情報ＣＳＩ測定プロセス配置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンク制御情報フォーマットＤＣＩ  ＦｏｒｍａｔまたはＤＣＩ  Ｆｏｒｍａｔ集合を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上のシグナリングを通知しないまたは取得しない場合のデフォルト値またはデフォルト動作を独立に事前に定義するまたは独立に設定すること、
ｅＰＤＣＣＨのために２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むことを、含む。
【００１５】
好ましくは、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つである。
【００１６】
好ましくは、前記Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置される場合、強化型制御チャネルユニットｅＣＣＥおよび／またはセル無線ネットワーク一時識別子Ｃ―ＲＮＴＩおよび／または事前定義済みルールに基づいて２つ以上のＤＭＲＳアンテナポートに１つのＤＭＲＳポートを検出ポートとして確定する。
【００１７】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係を独立に設定することである。
【００１８】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、
ＣＲＳのポート数、ＣＲＳの周波数領域位置、ＣＲＳのセル識別子のうちの少なくとも一つを含む。
【００１９】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、
ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含む。
【００２０】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、
０、１、２、３、４、または、ＰＣＦＩＣＨを検出して取得されたｅＰＤＣＣＨ開始シンボルの数の値のうちの１つ以上の少なくとも一つを含む。
【００２１】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、
前記端末にＣＳＩ  Ｐｒｏｃｅｓｓを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、
ここで、前記大規模な情報が、
ＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、
前記ＣＳＩ測定プロセスが、
ＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含む。
【００２２】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、
前記端末に測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
ここで、前記大規模な情報は、
ＮＺＰ  ＣＳＩ−ＲＳに対応する遅延拡張、ＮＺＰ  ＣＳＩ−ＲＳに対応する各経路遅延、ＮＺＰ  ＣＳＩ−ＲＳに対応するドップラーシフト、ＮＺＰ  ＣＳＩ−ＲＳに対応するドップラー拡張、ＮＺＰ  ＣＳＩ−ＲＳに対応する平均受信電力のうちの少なくとも一つを含む。
【００２３】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、
前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔ集合を独立に設定することを含む。
【００２４】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＰＤＣＣＨ検出サブフレームクラスタは、
前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示する。
【００２５】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、
前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示する。
【００２６】
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、
前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示する。
【００２７】
好ましくは、前記伝送モードのｅＰＤＣＣＨ検出クラスタは、集中伝送型ｅＰＤＣＣＨ検出クラスタ、分散伝送型ｅＰＤＣＣＨ検出クラスタを含む。
【００２８】
好ましくは、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンクスケジューリングインジケータフォーマットＤＣＩ  Ｆｏｒｍａｔ集合を独立に設定することは、
特定のＫ値に対して、異なるＤＣＩ  Ｆｏｒｍａｔ集合を設定することと、
特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を設定することと、
各ｅＰＤＣＣＨ検出クラスタが検出されるＤＣＩ  Ｆｏｒｍａｔ集合を設定することとを含む。
【００２９】
好ましくは、強化型ダウンリンク制御チャネルの検出方法は、
端末が強化型ダウンリンク制御チャネルを検出するステップと、
Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するステップと、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ利用可能なリソース要素を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ開始シンボルＩＤ集合を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルと検索空間開始位置を取得するステップ、
および／または、前記情報を取得しない場合、端末を独立に事前に定義するまたは配置して前記Ｋ個のｅＰＤＣＣＨ検出クラスタの各ｅＰＤＣＣＨ検出クラスタまたは異なる伝送モードのｅＰＤＣＣＨ検出クラスタに用いられるデフォルト値またはデフォルト動作を取得するステップ、
および／または、ｅＰＤＣＣＨのために２つ以上のサブフレーム検出クラスタを配置することを取得する場合、異なるサブフレーム検出クラスタに対して異なるｅＰＤＣＣＨ検出クラスタ配置及び／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むステップとを、含む。
【００３０】
好ましくは、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースがＣＲＳのポートの数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、３、４、またはＰＣＦＩＣＨを検出して取得されたｅＰＤＣＣＨ開始シンボルの数の値のうちの１つ以上の少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末にＣＳＩ測定プロセスを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されたＣＳＩ測定プロセスとの関連情報を用いることを含み、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末に測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおける指示されるダウンリンクデータＨＡＲＱフィードバックに対して独立に設定されたＰＵＣＣＨ動的リソース位置インジケータシグナリングを用いることを指示する。
【００３１】
好ましくは、前記取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定する。
【００３２】
好ましくは、前記伝送モードのｅＰＤＣＣＨ検出クラスタは、集中伝送型ｅＰＤＣＣＨ検出クラスタ、分散伝送型ｅＰＤＣＣＨ検出クラスタを含む。
【００３３】
好ましくは、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  Ｆｏｒｍａｔを取得することは、
端末が特定のＫ値に対して、異なるＤＣＩ  Ｆｏｒｍａｔ集合を用いて検出すること、
端末が特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を用いて検出すること、
端末が取得された各ｅＰＤＣＣＨ検出クラスタに対してＣＩ  Ｆｏｒｍａｔ集合を用いて検出することを含む。
【００３４】
強化型ダウンリンク制御チャネルの配置装置は、
端末にＫ個のｅＰＤＣＣＨ検出クラスタを配置するように配置される第一の配置ユニットと、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を独立に設定する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを独立に設定する、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンクスケジューリングインジケータフォーマットＤＣＩ  ＦｏｒｍａｔまたはＤＣＩ  Ｆｏｒｍａｔ集合を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上シグナリングを通知しないまたは取得しない場合のデフォルト値またはデフォルト動作を独立に事前に定義するまたは独立に設定する、
および／または、ｅＰＤＣＣＨのために２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置を少なくとも一つ含む第二の配置ユニットとを、含む。
【００３５】
好ましくは、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末にＣＳＩ  Ｐｒｏｃｅｓｓを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報が、ＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して配置された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出される必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対してｅＰＤＣＣＨ検出サブフレームクラスタを独立に配置することを含み、前記ｅＰＤＣＣＨ検出サブフレームクラスタが、前記端末がどのサブフレームにｅＰＤＣＣＨを検出するか、どのサブフレームにＰＤＣＣＨを検出するかを指示して、または前記端末が異なるサブフレームクラスタに異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおける指示されるダウンリンクデータＨＡＲＱフィードバックに対して独立に設定されたＰＵＣＣＨ動的リソース位置インジケータシグナリングを用いることを指示する。
【００３６】
好ましくは、前記装置は、
Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置される場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定するように配置される確定ユニットをさらに含む。
【００３７】
好ましくは、前記伝送モードのｅＰＤＣＣＨ検出クラスタは、集中型ｅＰＤＣＣＨ検出クラスタ、分散型ｅＰＤＣＣＨ検出クラスタを含む。
【００３８】
好ましくは、前記第二の配置ユニットは、さらに、
特定のＫ値に対して、異なるＤＣＩ  Ｆｏｒｍａｔ集合を設定し、
特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を設定し、
各ｅＰＤＣＣＨ検出クラスタが検出されるＤＣＩ  Ｆｏｒｍａｔ集合を設定するように配置される。
【００３９】
基地局であって、上述した強化型ダウンリンク制御チャネルの配置装置を含む。
【００４０】
強化型ダウンリンク制御チャネルの検出装置であって、
強化型ダウンリンク制御チャネルを検出するように配置される検出ユニットと、
Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ利用可能なリソース要素を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ開始シンボルＩＤ集合を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルと検索空間開始位置を取得するように配置される、
および／または、前記情報を取得しない場合、端末を独立に事前に定義するまたは配置して前記Ｋ個のｅＰＤＣＣＨ検出クラスタの各ｅＰＤＣＣＨ検出クラスタまたは異なる伝送モードのｅＰＤＣＣＨ検出クラスタに用いられるデフォルト値またはデフォルト動作を取得するように配置される、
および／または、ｅＰＤＣＣＨのために２つ以上のサブフレーム検出クラスタを配置することを取得する場合、異なるサブフレーム検出クラスタに対して、異なるｅＰＤＣＣＨ検出クラスタ配置及び／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むように配置される取得ユニットと、を含む。
【００４１】
好ましくは、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上を少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記ｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示する。
【００４２】
前記装置は、
前記取得ユニットにより取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ―ＲＮＴＩおよび／または事前定義済みルールに基づいて２つ以上のＤＭＲＳのアンテナポートに１つのＤＭＲＳポートを検出ポートとして確定するように配置される確定ユニットをさらに含む。
【００４３】
好ましくは、前記伝送モードのｅＰＤＣＣＨ検出クラスタは、集中型ｅＰＤＣＣＨ検出クラスタ、分散型ｅＰＤＣＣＨ検出クラスタを含む。
【００４４】
好ましくは、前記検出ユニットは、さらに、特定のＫ値に対して、異なるＤＣＩ  Ｆｏｒｍａｔ集合を用いて検出し、
特定のＫ個のｅＰＤＣＣＨ検出クラスタと特定の分散型伝送型および集中伝送型ｅＰＤＣＣＨ検出クラスタに対して異なるＤＣＩ  Ｆｏｒｍａｔ集合を用いて検出し、
取得された各ｅＰＤＣＣＨ検出クラスタに対してＤＣＩ  Ｆｏｒｍａｔ集合を用いて検出するように配置される。                                                    
端末であって、上述した強化型ダウンリンク制御チャネルの検出装置を含む。
【００４５】
基地局であって、端末向け上位層シグナリングおよび／またはダウンリンク制御情報ＤＣＩを用いて、ｅＰＤＣＣＨリソースを検出する時にもう一つの時間−領域リソースを共有するＤＭＲＳアンテナポートがもう一つの端末のｅＰＤＣＣＨまたはＰＤＳＣＨ伝送に用いられるかを仮定する必要があるかどうかを端末に通知するように配置される。
【００４６】
好ましくは、前記基地局は、さらに、Ｋ個のｅＰＤＣＣＨ検出クラスタを配置することで、ｅＰＤＣＣＨリソースを検出する時にＫ個のｅＰＤＣＣＨ検出クラスタにもう一つの時間−周波数リソースを共有するＤＭＲＳアンテナポートがもう一つの端末のｅＰＤＣＣＨまたはＰＤＳＣＨ伝送に用いられるかどうかを仮定するように端末を独立に配置するように配置される。
【００４７】
好ましくは、前記基地局は、Ｋ個のｅＰＤＣＣＨ検出クラスタを配置することで、ｅＰＤＣＣＨリソースを検出する時にＫ個のクラスタにおける一部又はすべてのクラスタにもう一つの時間−周波数領域リソースを共有するＤＭＲＳアンテナポートがもう一つの端末のｅＰＤＣＣＨまたはＰＤＳＣＨ伝送に用いられるからどうかを仮定するように端末を配置する。
【００４８】
好ましくは、前記基地局は、Ｘ個のサブフレームクラスタを配置することで、ｅＰＤＣＣＨリソースを検出する時にＸ個のサブフレームクラスタにおける一部またはすべてのクラスタにもう一つの時間−周波数領域リソースを共有するＤＭＲＳアンテナポートがもう一つの端末のｅＰＤＣＣＨまたはＰＤＳＣＨ伝送に用いられるかどうかを仮定するように端末を配置する。
【００４９】
好ましくは、前記ＤＭＲＳアンテナポートは、ポート１０７、１０８、１０９、１１０を含み、その中、ポート１０７、１０８が時間−周波数リソースを共有し、ポート１０９、１１０が時間−周波数リソースを共有する。
【００５０】
端末であって、端末向け上位層シグナリングおよび／またはＤＣＩを受信することで、ｅＰＤＣＣＨリソースを検出する時に、時間−周波数リソースを共有するもう一つのＤＭＲＳアンテナポートがもう一つの端末のｅＰＤＣＣＨまたはＰＤＳＣＨ伝送に用いられるかを仮定する必要があるかどうかを取得するように配置される。
【００５１】
好ましくは、前記端末は、さらに、上位層シグナリングを受信することで配置されたＫ個のｅＰＤＣＣＨ検出クラスタを取得し、さらにｅＰＤＣＣＨリソースを検出する時にＫ個のｅＰＤＣＣＨ検出クラスタに時間−周波数リソースを共有するもう一つのＤＭＲＳアンテナポートがもう一つの端末のｅＰＤＣＣＨまたはＰＤＳＣＨ伝送チャネルに用いられるかどうかを仮定するように端末を独立に配置するための上位層シグナリングを受信し、受信された上位層シグナリングに基づいてＤＭＲＳのチャネル推定を行うように配置される。
【００５２】
好ましくは、前記端末は、さらに、端末向け上位層シグナリングを受信することで配置されたＫ個のｅＰＤＣＣＨ検出クラスタを取得し、さらに配置される端末がｅＰＤＣＣＨリソースを検出する時にＫ個のｅＰＤＣＣＨ検出クラスタに時間−周波数リソースを共有するもう一つのＤＭＲＳアンテナポートがもう一つのユーザーのｅＰＤＣＣＨまたはＰＤＳＣＨ伝送チャネル伝送に用いられるかどうかを仮定するか、取得するように配置される。
【００５３】
好ましくは、前記端末は、さらに、端末向け上位層シグナリングを受信することで配置されたＫ個のｅＰＤＣＣＨ検出クラスタを取得し、さらに配置される端末がｅＰＤＣＣＨリソースを検出する時にＸ個のサブフレームクラスタの一部またはすべてのクラスタに時間−周波数リソースを共有するもう一つのＤＭＲＳアンテナポートがもう一つのユーザーのｅＰＤＣＣＨまたはＰＤＳＣＨ伝送に用いられるかどうかを仮定することを取得するように配置される。
【００５４】
好ましくは、前記ＤＭＲＳアンテナポートは、ｅＰＤＣＣＨを復調するように配置され、ポート１０７、１０８、１０９、１１０を含み、その中、ポート１０７、１０８が時間−周波数リソースを共有し、ポート１０９、１１０が時間−周波数リソースを共有する。
【００５５】
端末であって、ｅＰＤＣＣＨリソースを検出する時に、時間−領域リソースを共有するもう一つのＤＭＲＳアンテナポートがもう一つの端末のｅＰＤＣＣＨまたはＰＤＳＣＨ伝送に用いられないことを常時仮定するように配置される。
【００５６】
好ましくは、前記ＤＭＲＳアンテナポートは、ｅＰＤＣＣＨを復調するように配置され、ポート１０７、１０８、１０９、１１０を含み、その中、ポート１０７、１０８が時間−周波数リソースを共有し、ポート１０９、１１０が時間−周波数リソースを共有する。
【００５７】
端末であって、ｅＰＤＣＣＨ伝送モードに基づいて、ｅＰＤＣＣＨリソースを検出する時に、時間−周波数リソースを共有するもう一つのＤＭＲＳアンテナポートがもう一つの端末のｅＰＤＣＣＨまたはＰＤＳＣＨ伝送に用いられるかどうかを仮定する必要があるかどうかを確定する。
【００５８】
好ましくは、前記端末が集中型ｅＰＤＣＣＨに配置された場合、前記端末は、ｅＰＤＣＣＨリソースを検出する時に、時間−周波数領域を共有するもう一つのＤＭＲＳアンテナポートがもう一つの端末のｅＰＤＣＣＨまたはＰＤＳＣＨ伝送に用いられないことを常時仮定するように配置される。
【００５９】
好ましくは、前記端末が分散型ｅＰＤＣＣＨに配置された場合、前記端末は、ｅＰＤＣＣＨリソースを検出する時に、時間−周波数領域を共有するもう一つのＤＭＲＳアンテナポートがもう一つの端末のｅＰＤＣＣＨまたはＰＤＳＣＨ伝送に用いられないことを仮定できないように配置される。
【００６０】
好ましくは、前記ＤＭＲＳアンテナは、ｅＰＤＣＣＨを復調するように配置され、ポート１０７、１０８、１０９、１１０を含み、その中、ポート１０７、１０８が時間−周波数リソースを共有し、ポート１０９、１１０が時間−周波数リソースを共有する。
【００６１】
本発明において、端末のためにＫ個のｅＰＤＣＣＨ検出クラスタを配置し、且つ、Ｋ個のｅＰＤＣＣＨ検出クラスタの各ｅＰＤＣＣＨ検出クラスタまたは異なる伝送モードのｅＰＤＣＣＨ検出クラスタが検出される時に対応する復調基準信号ＤＭＲＳのアンテナポートインデックスを独立に設定し、および／または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスインデックスを独立に設定し、
または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスと物理ダウンリンク共有チャネルＰＤＳＣＨのＤＭＲＳスクランブリングコードシーケンスとの対応関係を独立に設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応する共通基準信号ＣＲＳレートマッチングリソースを独立に設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボルＩＤ集合を独立に設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するチャネル状態情報ＣＳＩ測定プロセス配置を設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンク制御情報フォーマットＤＣＩ  Ｆｏｒｍａｔを独立に設定し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置し、または、Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルまたは検索空間開始シンボルを独立に設定し、または、Ｋ個のｅＰＤＣＣＨ検出クラスタの各ｅＰＤＣＣＨ検出クラスタまたは異なるモードのｅＰＤＣＣＨ検出クラスタに用いられるデフォルト値またはデフォルト動作を独立に設定する。本発明の技術的なスキームにより、基地局側は、端末のためにｅＰＤＣＣＨ検出パラメータを柔軟に設定することができ、それによってｅＰＤＣＣＨが柔軟に複数のＴＰ間に動的な切り替えを行うことが可能となり、且つ基地局側がｅＰＤＣＣＨのスケジューリング情報を柔軟に設定することになり、これによりｅＰＤＣＣＨがより強い安定性を持つ。
【図面の簡単な説明】
【００６２】
【図１】本発明の実施形態に係る強化型ダウンリンク制御チャネルの配置装置の配置構造図。
【図２】本発明の実施形態に係る強化型ダウンリンク制御チャネルの検出装置の配置構造図。
【発明を実施するための形態】
【００６３】
本発明の目的、技術的なスキームと利点が明らかになるように、以下に実施形態を挙げて図面を参照して、本発明をさらに詳しく説明する。
【００６４】
本発明を容易に理解するために、以下に具体的な実施形態を参照して本発明をさらに説明する。本特許における独立配置は、異なるｅＰＤＣＣＨ  ｓｅｔ間の無関連性を強調することだけであり、同じシグナリングに配置できないまたは共同のＰＤＳＣＨの配置シグナリングの設定シグナリングと関連することを制限しない。各実施形態は自由に組み合わせることができ、各実施形態は、個別に書き込まれるので、いかなる組み合わせ形態に制限を与えない。
【００６５】
実施形態１
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＤＭＲＳのアンテナポートインデックスを設定する。端末は、基地局に配置されたＫ個のｅＰＤＣＣＨ検出クラスタと独立に配置されたＤＭＲＳアンテナポートを受信することによりｅＰＤＣＣＨの受信および検出を行う。
【００６６】
実施形態１のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ＤＭＲＳを検出するポート番号が７であり、
ｅＰＤＣＣＨ検出クラスタ１の場合、ＤＭＲＳを検出するポート番号が８である。
【００６７】
実施形態１のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ＤＭＲＳを検出するポート番号が７、８であり、
ｅＰＤＣＣＨ検出クラスタ１の場合、ＤＭＲＳを検出するポート番号が９、１０である。
【００６８】
実施形態１のサブ実施形態３
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。
【００６９】
分散型ｅＰＤＣＣＨの場合、ＤＭＲＳを検出するポート番号が７であり
集中型ｅＰＤＣＣＨの場合、ＤＭＲＳを検出するポート番号が８である。
【００７０】
実施形態１のサブ実施形態４
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。
【００７１】
分散型ｅＰＤＣＣＨの場合、ＤＭＲＳを検出するポート番号が７、８であり、
集中型ｅＰＤＣＣＨの場合、ＤＭＲＳを検出するポート番号が９、１０であり、
具体的に端末がどのポートを用いてＤＭＲＳを検出するかは、ｅＣＣＥインデックスおよび／またはＣ−ＲＮＴＩおよび／またはＰＲＢインデックスを用いて決定される必要がある。
【００７２】
実施形態２
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＤＭＲＳスクランブリングコードシーケンスを独立に設定する。端末は、基地局に配置されたＫ個のｅＰＤＣＣＨ検出クラスタと独立に設定されたＤＭＲＳスクランブリングコードシーケンスを受信することでｅＰＤＣＣＨに対する受信および検出を行う。
【００７３】
実施形態２のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ＤＭＲＳを検出するスクランブリングコードシーケンスに対応する仮想セルＩＤがＸ０、Ｎｓｃｉｄ＝０であり、
ｅＰＤＣＣＨ検出クラスタ１の場合、ＤＭＲＳを検出するスクランブリングコードシーケンスに対応する仮想セルＩＤがＸ１、Ｎｓｃｉｄ＝０であり、
【数１】
2015534337.tif 000004
ここで、Ｘｎ（ｎ＝１、２）が式における
2015534337.tif 000005
を表し、Ｎｓｃｉｄが式における
2015534337.tif 000006
を表す。
【００７４】
実施形態２のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ＤＭＲＳを検出するスクランブリングコードシーケンスに対応する仮想セルＩＤがＸ０、Ｎｓｃｉｄ＝０であり、
ｅＰＤＣＣＨ検出クラスタ１の場合、ＤＭＲＳを検出するスクランブリングコードシーケンスに対応する仮想セルＩＤがＸ１、Ｎｓｃｉｄ＝１であり、
【数２】
2015534337.tif 000007
ここで、Ｘｎ（ｎ＝１、２）が式における
2015534337.tif 000008
を表し、Ｎｓｃｉｄが式における
2015534337.tif 000009
を表す。
【００７５】
ここで、ＮｓｃｉｄがＮｓｃｉｄ＝０またはＮｓｃｉｄ＝１に固定されることができ、または、Ｎｓｃｉｄと仮想ＩＤがいずれも上位層シグナリングに応じて独立に設定されることができる。
【００７６】
実施形態２のサブ実施形態３
例えば配置されたｅＰＤＣＣＨ検出クラスタの数が４であり、Ｋの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。
【００７７】
分散型ｅＰＤＣＣＨの場合、ＤＭＲＳを検出するスクランブリングコードシーケンスに対応する仮想セルＩＤがＸ０、Ｎｓｃｉｄ＝０であり、
集中型ｅＰＤＣＣＨの場合、ＤＭＲＳを検出するスクランブリングコードシーケンスに対応する仮想セルＩＤがＸ１、Ｎｓｃｉｄ＝０であり、
【数３】
2015534337.tif 000010
ここで、Ｘｎ（ｎ＝１、２）が式における
2015534337.tif 000011
を表し、Ｎｓｃｉｄが式における
2015534337.tif 000012
を表す。
【００７８】
実施形態２のサブ実施形態４
例えば配置されたｅＰＤＣＣＨ検出クラスタの数が４であり、Ｋの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。
【００７９】
分散型ｅＰＤＣＣＨの場合、ＤＭＲＳを検出するスクランブリングコードシーケンスに対応する仮想セルＩＤがＸ０、Ｎｓｃｉｄ＝０であり、
集中型ｅＰＤＣＣＨの場合、ＤＭＲＳを検出するスクランブリングコードシーケンスに対応する仮想セルＩＤがＸ１、Ｎｓｃｉｄ＝１であり、
【数４】
2015534337.tif 000013
ここで、Ｘｎ（ｎ＝１、２）が式における
2015534337.tif 000014
を表し、Ｎｓｃｉｄが式における
2015534337.tif 000015
を表す。
【００８０】
ここで、ＮｓｃｉｄがＮｓｃｉｄ＝０またはＮｓｃｉｄ＝１に固定されることができ、または、Ｎｓｃｉｄと仮想ＩＤがいずれも上位層シグナリングに応じて独立に設定されることができる。
【００８１】
実施形態３
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＤＭＲＳスクランブリングコードシーケンスとＰＤＳＣＨ  ＤＭＲＳスクランブリングコードシーケンスとの対応関係を独立に設定する。端末は、基地局に配置されたＫ個のｅＰＤＣＣＨ検出クラスタと独立に設定されたＤＭＲＳスクランブリングコードシーケンスとＰＤＳＣＨ  ＤＭＲＳスクランブリングコードシーケンスとの対応関係を受信することでｅＰＤＣＣＨの受信および検出を行う。
【００８２】
実施形態３のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、設定されたＰＤＳＣＨ  ＤＭＲＳスクランブリングコードシーケンスがＸ０、Ｎｓｃｉｄ＝０およびＸ１、Ｎｓｃｉｄ１＝１である。
【００８３】
ｅＰＤＣＣＨ検出クラスタ０の場合、ＤＭＲＳを検出するスクランブリングコードシーケンスがＸ０、Ｎｓｃｉｄ＝０を用い、
ｅＰＤＣＣＨ検出クラスタ１の場合、ＤＭＲＳを検出するスクランブリングコードシーケンスがＸ１、Ｎｓｃｉｄ＝１を用い、
バインディング関係を指示することは、１ビットの上位層シグナリングによりバインディング関係を指示することができ、例えば、１ビットの値が０である場合、Ｘ０、Ｎｓｃｉｄ＝０にバインディングし、１ビットの値が１である場合、Ｘ１、Ｎｓｃｉｄ＝１にバインディングする。
【００８４】
【数５】
2015534337.tif 000016
ここで、Ｘｎ（ｎ＝１、２）が式における
2015534337.tif 000017
を表し、Ｎｓｃｉｄが式における
2015534337.tif 000018
を表す。
【００８５】
実施形態３のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、設定されたＰＤＳＣＨ  ＤＭＲＳスクランブリングコードシーケンスがＸ０、Ｎｓｃｉｄ＝０およびＸ１、Ｎｓｃｉｄ１＝１である。
【００８６】
ｅＰＤＣＣＨ検出クラスタ０の場合、ＤＭＲＳを検出するスクランブリングコードシーケンスに対してＸ０、Ｎｓｃｉｄ＝０を用い、
ｅＰＤＣＣＨ検出クラスタ１の場合、ＤＭＲＳを検出するスクランブリングコードシーケンスに対してＸ１、Ｎｓｃｉｄ＝０を用い、
バインディング関係を指示することは、１ビットの上位層シグナリングによりバインディング関係を指示することができ、例えば、１ビットの値が０である場合、Ｘ０、Ｎｓｃｉｄ＝０にバインディングし、１ビットの値が１である場合、Ｘ１にバインディングし、Ｎｓｃｉｄの値が０または１に固定される。
【００８７】
【数６】
2015534337.tif 000019
ここで、Ｘｎ（ｎ＝１、２）が式における
2015534337.tif 000020
を表し、Ｎｓｃｉｄが式における
2015534337.tif 000021
を表す。
【００８８】
実施形態３のサブ実施形態３
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。設定されたＰＤＳＣＨ  ＤＭＲＳスクランブリングコードシーケンスがＸ０、Ｎｓｃｉｄ＝０およびＸ１、Ｎｓｃｉｄ１＝１である。
【００８９】
分散型ｅＰＤＣＣＨの場合、ＤＭＲＳを検出するスクランブリングコードシーケンスに対してＸ０、Ｎｓｃｉｄ＝０を用い、
集中型ｅＰＤＣＣＨの場合、ＤＭＲＳを検出するスクランブリングコードシーケンスに対してＸ１、Ｎｓｃｉｄ＝１を用い、
バインディング関係を指示することは、１ビットの上位層シグナリングによりバインディング関係を指示することができ、例えば、１ビットの値が０である場合、Ｘ０、Ｎｓｃｉｄ＝０にバインディングし、１ビットの値が１である場合、Ｘ１、Ｎｓｃｉｄ＝１にバインディングする。
【００９０】
【数７】
2015534337.tif 000022
ここで、Ｘｎ（ｎ＝１、２）が式における
2015534337.tif 000023
を表し、Ｎｓｃｉｄが式における
2015534337.tif 000024
を表す。
【００９１】
実施形態３のサブ実施形態４
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。設定されたＰＤＳＣＨ  ＤＭＲＳスクランブリングコードシーケンスがＸ０、Ｎｓｃｉｄ＝０およびＸ１、Ｎｓｃｉｄ１＝１である。
【００９２】
分散型ｅＰＤＣＣＨの場合、ＤＭＲＳを検出するスクランブリングコードシーケンスに対してＸ０、Ｎｓｃｉｄ＝０を用い、
集中型ｅＰＤＣＣＨの場合、ＤＭＲＳを検出するスクランブリングコードシーケンスに対してＸ１、Ｎｓｃｉｄ＝０を用い、
バインディング関係を指示することは、１ビットの上位層シグナリングによりＰＤＳＣＨ  ＤＭＲＳスクランブリングコードシーケンスとのバインディング関係を指示することができ、例えば、１ビットの値が０である場合、Ｘ０にバインディングし、１ビットの値が１である場合、Ｘ１にバインディングし、Ｎｓｃｉｄ値が０または１に固定される。
【００９３】
【数８】
2015534337.tif 000025
ここで、Ｘｎ（ｎ＝１、２）が式における
2015534337.tif 000026
を表し、Ｎｓｃｉｄが式における
2015534337.tif 000027
を表す。
【００９４】
実施形態４
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＣＲＳレートマッチングリソースを独立に設定する。端末は、基地局に配置されたＫ個のｅＰＤＣＣＨ検出クラスタと独立に設定されたＣＲＳレートマッチングリソースを受信することでｅＰＤＣＣＨの受信および検出を行う。
【００９５】
実施形態４のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ＣＲＳレートマッチングリソースがＳ０であり、
ｅＰＤＣＣＨ検出クラスタ１の場合、ＣＲＳレートマッチングリソースがＳ１である。
【００９６】
実施形態４のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、設定されたＰＤＳＣＨ  ＣＲＳレートマッチングリソースがＳ０およびＳ１である。
【００９７】
ｅＰＤＣＣＨ検出クラスタ０の場合、ＣＲＳレートマッチングリソースに対してＳ０を用い、
ｅＰＤＣＣＨ検出クラスタ１の場合、ＣＲＳレートマッチングリソースに対してＳ１を用いる。
【００９８】
バインディング関係を指示することは、１ビットの上位層シグナリングによりＰＤＳＣＨ  ＣＲＳレートマッチングリソースとのバインディング関係を指示することができ、例えば、１ビットの値が０である場合、Ｓ０にバインディングし、１ビットの値が１である場合、Ｓ１にバインディングする。
【００９９】
実施形態４のサブ実施形態３
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出３が分散型ｅＰＤＣＣＨである。
【０１００】
分散型ｅＰＤＣＣＨの場合、ＣＲＳレートマッチングリソースがＳ０であり、
集中型ｅＰＤＣＣＨの場合、ＣＲＳレートマッチングリソースがＳ１である。
【０１０１】
実施形態４のサブ実施形態４
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出３が分散型ｅＰＤＣＣＨである。設定されたＰＤＳＣＨ  ＣＲＳレートマッチングリソースがＳ０およびＳ１である。
【０１０２】
分散型ｅＰＤＣＣＨの場合、ＣＲＳレートマッチングリソースに対してＳ０を用い、
集中型ｅＰＤＣＣＨの場合、ＣＲＳレートマッチングリソースに対してＳ１を用いる。
【０１０３】
バインディング関係を指示することは、１ビットの上位層シグナリングによりＰＤＳＣＨ  ＣＲＳレートマッチングリソースとのバインディング関係を指示することができ、例えば、１ビットの値が０である場合、Ｓ０にバインディングし、１ビットの値が１である場合、Ｓ１にバインディングする。
【０１０４】
実施形態５
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するｅＰＤＣＣＨ利用可能なリソース要素を独立に設定する。端末は、基地局に配置されたＫ個のｅＰＤＣＣＨ検出クラスタと独立に設定されたｅＰＤＣＣＨ利用可能なリソース要素を受信することでｅＰＤＣＣの受信および検出を行う。
【０１０５】
ここで、ｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、ＣＰ長さ設定により取得されてそれらの中の少なくとも一つを含む。
【０１０６】
実施形態５のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、利用可能なリソース要素がＳ０であり
ｅＰＤＣＣＨ検出クラスタ１の場合、利用可能なリソース要素がＳ１である。
【０１０７】
実施形態５のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、設定されたＰＤＳＣＨの利用可能なリソース要素がＳ０およびＳ１に配置される。
【０１０８】
ｅＰＤＣＣＨ検出クラスタ０の場合、利用可能なリソース要素がＳ０であり、
ｅＰＤＣＣＨ検出クラスタ１の場合、利用可能なリソース要素がＳ１であり、
バインディング関係を指示することは、１ビットの上位層シグナリングによりＰＤＳＣＨ利用可能なリソース要素とのバインディング関係を指示することができ、例えば、１ビットの値が０である場合、Ｓ０にバインディングし、１ビットの値が１である場合、Ｓ１にバインディングする。
【０１０９】
実施形態５のサブ実施形態３
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。
【０１１０】
分散型ｅＰＤＣＣＨの場合、利用可能なリソース要素がＳ０であり、
集中型ｅＰＤＣＣＨの場合、利用可能なリソース要素がＳ１である。
【０１１１】
実施形態５のサブ実施形態４
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。設定されたＰＤＳＣＨの利用可能なリソース要素がＳ０およびＳ１に配置される。
【０１１２】
分散型ｅＰＤＣＣＨの場合、利用可能なリソース要素がＳ０であり、
集中型ｅＰＤＣＣＨの場合、利用可能なリソース要素がＳ１であり、
バインディング関係を指示することは、１ビットの上位層シグナリングによりＰＤＳＣＨ利用可能なリソース要素とのバインディング関係を指示することができ、例えば、１ビットの値が０である場合、Ｓ０にバインディングし、１ビットの値が１である場合、Ｓ１にバインディングする。
【０１１３】
実施形態６
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するｅＰＤＣＣＨ開始シンボルＩＤを独立に設定する。端末は、基地局に配置されたＫ個のｅＰＤＣＣＨ検出クラスタと独立に設定されたｅＰＤＣＣＨ開始シンボルＩＤを受信することでｅＰＤＣＣＨの受信および検出を行う。
【０１１４】
各ｅＰＤＣＣＨ検出クラスタが検出される時に対応するｅＰＤＣＣＨ開始シンボルＩＤは、
０、１、２、３または４、またはＰＣＦＩＣＨ（物理制御フォーマットインジケータチャネルを検出して取得された値のうちの少なくとも一つを含む。
【０１１５】
実施形態６のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ｅＰＤＣＣＨ開始シンボルＩＤが１であり、
ｅＰＤＣＣＨ検出クラスタ１の場合、ｅＰＤＣＣＨ開始シンボルＩＤが２である。
【０１１６】
実施形態６のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、設定されたＰＤＳＣＨのｅＰＤＣＣＨ開始位置シンボルＩＤが１および２である。
【０１１７】
ｅＰＤＣＣＨ検出クラスタ０の場合、ｅＰＤＣＣＨ開始位置シンボルＩＤが１に設定され、
ｅＰＤＣＣＨ検出クラスタ１の場合、ｅＰＤＣＣＨ開始位置シンボルＩＤが２に設定され、
バインディング関係を指示することは、１ビットの上位層シグナリングによりＰＤＳＣＨ開始位置シンボルＩＤとのバインディング関係を指示することができ、例えば、１ビットの値が０である場合、０にバインディングし、１ビットの値が１である場合、２にバインディングする。
【０１１８】
実施形態６のサブ実施形態３
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。
【０１１９】
分散型ｅＰＤＣＣＨの場合、ｅＰＤＣＣＨ開始シンボルＩＤが１であり、
集中型ｅＰＤＣＣＨの場合、ｅＰＤＣＣＨ開始シンボルＩＤが２である。
【０１２０】
実施形態６のサブ実施形態４
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。設定されたＰＤＳＣＨのｅＰＤＣＣＨ開始位置シンボルＩＤが１および２である。
【０１２１】
分散型ｅＰＤＣＣＨの場合、ｅＰＤＣＣＨ開始シンボルＩＤが１に設定され、
集中型ｅＰＤＣＣＨの場合、ｅＰＤＣＣＨ開始シンボルＩＤが２に設定され、
バインディング関係を指示することは、１ビットの上位層シグナリングによりＰＤＳＣＨ開始位置シンボルＩＤとのバインディング関係を指示することができ、例えば、１ビットの値が０である場合、１にバインディングし、１ビットの値が１である場合、２にバインディングする。
【０１２２】
実施形態７
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＣＳＩ測定プロセス配置を独立に設定する。端末は、基地局に配置されたＫ個のｅＰＤＣＣＨ検出クラスタと独立に設定されたＣＳＩ測定プロセス配置を受信することでｅＰＤＣＣＨの受信および検出を行う。
【０１２３】
実施形態７のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、端末に配置されたＣＳＩ  ＰｒｏｃｅｓｓがＣＳＩ  Ｐｒｏｃｅｓｓ０およびＣＳＩ  Ｐｒｏｃｅｓｓ１である。
【０１２４】
ｅＰＤＣＣＨ検出クラスタ０の場合、ＣＳＩ  Ｐｒｏｃｅｓｓ０に対応し、
ｅＰＤＣＣＨ検出クラスタ１の場合、ＣＳＩ  Ｐｒｏｃｅｓｓ０に対応する。
【０１２５】
実施形態７のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、配置されたＰＤＳＣＨのＣＳＩ  ＰｒｏｃｅｓｓがＣＳＩ  Ｐｒｏｃｅｓｓ０およびＣＳＩ  Ｐｒｏｃｅｓｓ１に対応する。
【０１２６】
ｅＰＤＣＣＨ検出クラスタ０の場合、ｅＰＤＣＣＨとＣＳＩ  ＰｒｏｃｅｓｓがＰＤＳＣＨとＣＳＩ  Ｐｒｏｃｅｓｓ０との対応関係に対応し、
ｅＰＤＣＣＨ検出クラスタ１の場合、ｅＰＤＣＣＨとＣＳＩ  ＰｒｏｃｅｓｓがＰＤＳＣＨとＣＳＩ  Ｐｒｏｃｅｓｓ１との対応関係に対応し、
バインディング関係を指示することは、１ビットの上位層シグナリングによりＰＤＳＣＨ開始位置シンボルＩＤとのバインディング関係を指示することができ、例えば、１ビットの値が０である場合、ＰＤＳＣＨとＣＳＩ  Ｐｒｏｃｅｓｓ０との対応関係にバインディングし、１ビットの値が１である場合、ＰＤＳＣＨとＣＳＩ  Ｐｒｏｃｅｓｓ１との対応関係にバインディングする。
【０１２７】
実施形態７のサブ実施形態３
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。端末に配置されたＣＳＩ  ＰｒｏｃｅｓｓがＣＳＩ  Ｐｒｏｃｅｓｓ０とＣＳＩ  Ｐｒｏｃｅｓｓ１である。
【０１２８】
分散型ｅＰＤＣＣＨの場合、ＣＳＩ  Ｐｒｏｃｅｓｓ０に対応し、
集中型ｅＰＤＣＣＨの場合、ＣＳＩ  Ｐｒｏｃｅｓｓ０に対応する。
【０１２９】
実施形態７のサブ実施形態４
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。配置されたＰＤＳＣＨとＣＳＩ  ＰｒｏｃｅｓｓがＣＳＩ  Ｐｒｏｃｅｓｓ０とＣＳＩ  Ｐｒｏｃｅｓｓ１に対応する。
【０１３０】
分散型ｅＰＤＣＣＨの場合、ｅＰＤＣＣＨとＣＳＩ  ＰｒｏｃｅｓｓがＰＤＳＣＨとＣＳＩ  Ｐｒｏｃｅｓｓ０との対応関係に対応し、
集中型ｅＰＤＣＣＨの場合、ｅＰＤＣＣＨとＣＳＩ  ＰｒｏｃｅｓｓがＰＤＳＣＨとＣＳＩ  Ｐｒｏｃｅｓｓ１との対応関係に対応し、
バインディング関係を指示することは、１ビットの上位層シグナリングによりＰＤＳＣＨ開始位置シンボルＩＤとのバインディング関係を指示することができ、例えば、１ビットの値が０である場合、ＰＤＳＣＨとＣＳＩ  Ｐｒｏｃｅｓｓ０との対応関係にバインディングし、１ビットの値が１である場合、ＰＤＳＣＨとＣＳＩ  Ｐｒｏｃｅｓｓ１との対応関係にバインディングする。
【０１３１】
実施形態８
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＮＺＰ  ＣＳＩ−ＲＳ配置の対応関係を独立に設定する。端末は、基地局に配置されたＫ個のｅＰＤＣＣＨ検出クラスタと独立に設定されたＮＺＰ  ＣＳＩ−ＲＳ配置の対応関係を受信することでｅＰＤＣＣＨの受信および検出を行う。
【０１３２】
実施形態８のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、端末に配置されたＮＺＰ  ＣＳＩ−ＲＳがＮＺＰ  ＣＳＩ−ＲＳ０とＮＺＰ  ＣＳＩ−ＲＳ１である。
【０１３３】
ｅＰＤＣＣＨ検出クラスタ０の場合、ＮＺＰ  ＣＳＩ−ＲＳ０に対応し、
ｅＰＤＣＣＨ検出クラスタ１の場合、ＮＺＰ  ＣＳＩ−ＲＳ１に対応する。
【０１３４】
実施形態８のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、配置されたＰＤＳＣＨとＮＺＰ  ＣＳＩ−ＲＳがＮＺＰ  ＣＳＩ−ＲＳ０とＮＺＰ  ＣＳＩ−ＲＳ１に対応する。
【０１３５】
ｅＰＤＣＣＨ検出クラスタ０の場合、ｅＰＤＣＣＨとＣＳＩ  ＰｒｏｃｅｓｓがＰＤＳＣＨとＮＺＰ  ＣＳＩ−ＲＳ０との対応関係に対応し、
ｅＰＤＣＣＨ検出クラスタ１の場合、ｅＰＤＣＣＨとＣＳＩ  ＰｒｏｃｅｓｓがＰＤＳＣＨとＮＺＰ  ＣＳＩ−ＲＳ１との対応関係に対応し、
バインディング関係を指示することは、１ビットの上位層シグナリングによりＰＤＳＣＨ開始位置シンボルＩＤとのバインディング関係を指示することができ、例えば、１ビットの値が０である場合、ＰＤＳＣＨとＮＺＰ  ＣＳＩ−ＲＳ０との対応関係にバインディングし、１ビットの値が１である場合、ＰＤＳＣＨとＮＺＰ  ＣＳＩ−ＲＳ１との対応関係にバインディングする。
【０１３６】
実施形態８のサブ実施形態３
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。端末に設定されたＮＺＰ  ＣＳＩ−ＲＳがＮＺＰ  ＣＳＩ−ＲＳ０とＮＺＰ  ＣＳＩ−ＲＳ１である。
【０１３７】
分散型ｅＰＤＣＣＨの場合、ＮＺＰ  ＣＳＩ−ＲＳ０に対応し、
集中型ｅＰＤＣＣＨの場合、ＮＺＰ  ＣＳＩ−ＲＳ１に対応する。
【０１３８】
実施形態８のサブ実施形態４
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。配置されたＰＤＳＣＨとＮＺＰ  ＣＳＩ−ＲＳがＮＺＰ  ＣＳＩ−ＲＳ０とＮＺＰ  ＣＳＩ−ＲＳ１に対応する。
【０１３９】
分散型ｅＰＤＣＣＨの場合、ｅＰＤＣＣＨとＣＳＩ  ＰｒｏｃｅｓｓがＰＤＳＣＨとＮＺＰ  ＣＳＩ−ＲＳ０との対応関係に対応し、
集中型ｅＰＤＣＣＨの場合、ｅＰＤＣＣＨとＣＳＩ  ＰｒｏｃｅｓｓがＰＤＳＣＨとＮＺＰ  ＣＳＩ−ＲＳ１との対応関係に対応し、
バインディング関係を指示することは、１ビットの上位層シグナリングによりＰＤＳＣＨ開始位置シンボルＩＤとのバインディング関係を指示することができ、例えば、１ビットの値が０である場合、ＰＤＳＣＨとＮＺＰ  ＣＳＩ−ＲＳ０との対応関係にバインディングし、１ビットの値が１である場合、ＰＤＳＣＨとＮＺＰ  ＣＳＩ−ＲＳ１との対応関係にバインディングする。
【０１４０】
実施形態９
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタが検出される時に対応するＤＣＩ  Ｆｏｒｍａｔを独立に設定配置する。端末は、基地局に配置されたＫ個のｅＰＤＣＣＨ検出クラスタと独立に設定されたＤＣＩ  Ｆｏｒｍａｔ検出集合を受信することでｅＰＤＣＣＨの受信および検出を行う。配置されたｅＰＤＣＣＨ検出クラスタ内に対応して設定されたＤＣＩ  Ｆｏｒｍａｔを検出する。
【０１４１】
実施形態９のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、端末に設定されたＤＣＩ  Ｆｏｒｍａｔ検出集合がＤＣＩ  Ｆｏｒｍａｔ検出集合０とＤＣＩ  Ｆｏｒｍａｔ検出集合１である。
【０１４２】
ｅＰＤＣＣＨ検出クラスタ０の場合、ＤＣＩ  Ｆｏｒｍａｔ検出集合０であり、
ｅＰＤＣＣＨ検出クラスタ１の場合、ＤＣＩ  Ｆｏｒｍａｔ検出集合１である。
【０１４３】
実施形態９のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、端末に設定されたＤＣＩ  Ｆｏｒｍａｔ検出集合がＤＣＩ  Ｆｏｒｍａｔ検出集合０とＤＣＩ  Ｆｏｒｍａｔ検出集合１である。
【０１４４】
ｅＰＤＣＣＨ検出クラスタ０の場合、ＤＣＩ  Ｆｏｒｍａｔ検出集合０であり、
ｅＰＤＣＣＨ検出クラスタ１の場合、ＤＣＩ  Ｆｏｒｍａｔ検出集合１であり、
ＤＣＩ  Ｆｏｒｍａｔ検出集合０がＤＣＩ  Ｆｏｒｍａｔ１Ａ、０を含み、
ＤＣＩ  Ｆｏｒｍａｔ検出集合１がＤＣＩ  Ｆｏｒｍａｔ２Ｃ、４である。
【０１４５】
実施形態９のサブ実施形態３
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。端末に設定されたＤＣＩ  Ｆｏｒｍａｔ検出集合がＤＣＩ  Ｆｏｒｍａｔ検出集合０とＤＣＩ  Ｆｏｒｍａｔ検出集合１であり、
分散型ｅＰＤＣＣＨの場合、ＤＣＩ  Ｆｏｒｍａｔ検出集合０であり、
集中型ｅＰＤＣＣＨの場合、ＤＣＩ  Ｆｏｒｍａｔ検出集合１である。
【０１４６】
実施形態９のサブ実施形態４
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。端末に設定されたＤＣＩ  Ｆｏｒｍａｔ検出集合がＤＣＩ  Ｆｏｒｍａｔ検出集合０とＤＣＩ  Ｆｏｒｍａｔ検出集合１である。
【０１４７】
分散型ｅＰＤＣＣＨの場合、ＤＣＩ  Ｆｏｒｍａｔ検出集合０であり、
集中型ｅＰＤＣＣＨの場合、ＤＣＩ  Ｆｏｒｍａｔ検出集合１であり、
ＤＣＩ  Ｆｏｒｍａｔ検出集合０がＤＣＩ  Ｆｏｒｍａｔ検出集合１Ａ、０を含み、
ＤＣＩ  Ｆｏｒｍａｔ検出集合１がＤＣＩ  Ｆｏｒｍａｔ検出集合２Ｃ、４を含む。
【０１４８】
実施形態１０
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタが検出される時に対応する検出サブフレームクラスタを独立に配置する。端末は、基地局に配置されたＫ個のｅＰＤＣＣＨ検索クラスタと独立に配置された検出サブフレームクラスタを受信することでｅＰＤＣＣＨの受信および検出を行う。配置されたｅＰＤＣＣＨ検出クラスタにおいて対応して配置された検出サブフレームクラスタに応じて検出する。前記サブフレームクラスタは、端末側がどのサブフレームにｅＰＤＣＣＨを用いて検出するか、どのサブフレームにＰＤＣＣＨを用いて検出するかを指示して、または前記端末が異なるサブフレームクラスタ内に異なるｅＰＤＣＣＨ検出クラスタ配置を用いることを指示することに用いられる。
【０１４９】
実施形態１０のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、端末に配置された検出サブフレームクラスタが検出サブフレームクラスタ０と検出サブフレームクラスタ１である。
【０１５０】
ｅＰＤＣＣＨ検出クラスタ０の場合、検出サブフレームクラスタ０であり、
ｅＰＤＣＣＨ検出クラスタ１の場合、検出サブフレームクラスタ１である。
【０１５１】
実施形態１０のサブ実施形態２
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。端末に配置された検出サブフレームクラスタが検出サブフレームクラスタ０と検出サブフレームクラスタ１である。
【０１５２】
分散型ｅＰＤＣＣＨの場合、検出サブフレームクラスタ０であり、
集中型ｅＰＤＣＣＨの場合、検出サブフレームクラスタ１である。
【０１５３】
実施形態１０のサブ実施形態３
例えば、４つのサブフレームクラスタを配置する場合、
サブフレームクラスタ０は、端末側が対応するサブフレームクラスタ内にＰＤＣＣＨを用いて検出することを指示することに用いられ、
サブフレームクラスタ１は、端末側が対応するサブフレームクラスタ内にｅＰＤＣＣＨ検出クラスタ０とｅＰＤＣＣＨ検出クラスタ１を用いてｅＰＤＣＣＨ検出を行うことを指示することに用いられ、
サブフレームクラスタ２は、端末側が対応するサブフレームクラスタ内にｅＰＤＣＣＨ検出クラスタ１とｅＰＤＣＣＨ検出クラスタ２を用いてｅＰＤＣＣＨ検出を行うことを指示することに用いられ、
サブフレームクラスタ３は、端末側が対応するサブフレームクラスタ内にｅＰＤＣＣＨ検出クラスタ３を用いてｅＰＤＣＣＨ検出を行うことを指示することに用いられる。
【０１５４】
ここで、ｅＰＤＣＣＨ検出クラスタ０、１、２、３が検出クラスタと関連するパラメータの設定を独立に行えることが、
検出クラスタにおける検出すべき集約レベル、
検出クラスタにおける検出すべきリソース位置を少なく含む。
【０１５５】
実施形態１１
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタが検出される時に対応する、ＨＡＲＱにフィードバックされる場合のＰＵＣＣＨの動的位置オフ集合インジケータ値位置を独立に設定する。端末は、基地局により配置されたＫ個のｅＰＤＣＣＨ検索クラスタと独立に設定された対応するＨＡＲＱにフィードバックされる場合のＰＵＣＣＨの動的位置オフ集合インジケータ値を受信する。配置されたｅＰＤＣＣＨ検索クラスタにおいて対応して設定されたＨＡＲＱにフィードバックされる場合のＰＵＣＣＨの動的位置オフ集合インジケータ値に応じてＨＡＲＱのフィードバックを行う。前記ＨＡＲＱがフィードバックされた場合のＰＵＣＣＨの動的位置オフ集合インジケータ値は、端末側がｅＰＤＣＣＨに対応するＡＣＫ／ＮＡＣＫ情報をフィードバックするために用いるアップリンクＰＵＣＣＨリソースの動的位置オフ集合ンジケータ値を指示することに用いられる。
【０１５６】
実施形態１１のサブ実施形態１
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、端末に設定された、ＨＡＲＱがフィードバックされた場合のＰＵＣＣＨの開始位置がα０とα１である。
【０１５７】
ｅＰＤＣＣＨ検出クラスタ０の場合、ＨＡＲＱがフィードバックされた場合のＰＵＣＣＨの開始位置がα０であり、
ｅＰＤＣＣＨ検出クラスタ１の場合、ＨＡＲＱがフィードバックされた場合のＰＵＣＣＨの開始位置がα１であり、
例えば、ＦＤＤシステムに対して、下記の式があり、
１つのアンテナポートでＰＵＣＣＨを伝送する場合、
【数９】
2015534337.tif 000028
２つのアンテナポートでＰＵＣＣＨを伝送する場合、
【数１０】
2015534337.tif 000029
ここで、
2015534337.tif 000030
が実際のＨＡＲＱを伝送するリソース位置であり、
2015534337.tif 000031
が、ＨＡＲＱがフィードバックされた場合のＰＵＣＣＨの開始位置である。その中、αが動的位置オフ集合インジケータ値を表す。
2015534337.tif 000032
が伝送に対応するＤＣＩＦｏｒｍａｔの最低のｅＣＣＥインデックスである。
【０１５８】
実施形態１１のサブ実施形態２
例えば配置されたｅＰＤＣＣＨ検出クラスタの数が４であり、即ちＫの値が４で、ｅＰＤＣＣＨ検出クラスタ０とｅＰＤＣＣＨ検出クラスタ１が集中型ｅＰＤＣＣＨであり、ｅＰＤＣＣＨ検出クラスタ２とｅＰＤＣＣＨ検出クラスタ３が分散型ｅＰＤＣＣＨである。端末に設定された、ＨＡＲＱがフィードバックされた場合のＰＵＣＣＨの開始値がα０とα１である。
【０１５９】
分散型ｅＰＤＣＣＨの場合、ＨＡＲＱがフィードバックされた場合のＰＵＣＣＨの開始値がα０である。
【０１６０】
集中型ｅＰＤＣＣＨの場合、ＨＡＲＱがフィードバックされた場合のＰＵＣＣＨの開始値がα１である。
【０１６１】
例えば、ＦＤＤシステムに対して、下記の式があり、
１つのアンテナポートでＰＵＣＣＨを伝送する場合、
【数１１】
2015534337.tif 000033
２つのアンテナポートでＰＵＣＣＨを伝送する場合
【数１２】
2015534337.tif 000034
ここで、
2015534337.tif 000035
が実際のＨＡＲＱを伝送するリソース位置であり、
2015534337.tif 000036
がＨＡＲＱにフィードバックされた場合のＰＵＣＣＨの開始値である。ここで、αが動的位置オフ集合インジケータ値を表す。
2015534337.tif 000037
が伝送に対応するＤＣＩＦｏｒｍａｔの最低のｅＣＣＥインデックスである。
【０１６２】
実施形態１２
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応するＤＭＲＳスクランブリングコードシーケンスを独立に設定しない。端末は、基地局により配置されたＫ個のｅＰＤＣＣＨ検索クラスタを受信することでｅＰＤＣＣＨを検出する。
【０１６３】
実施形態１２のサブ実施形態１
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が分散型ｅＰＤＣＣＨ検出クラスタであり、ｅＰＤＣＣＨ検出クラスタ２とｅＰＤＣＣＨ検出クラスタ３が集中型ｅＰＤＣＣＨ検出クラスタであり、分散型ｅＰＤＣＣＨのデフォルト事前定義とＰＤＳＣＨ  ＤＭＲＳスクランブリングコードシーケンスＸ０、Ｎｓｃｉｄ＝0に対応することを事前に定義しており、集中型ｅＰＤＣＣＨのデフォルト事前定義とＰＤＳＣＨ  ＤＭＲＳスクランブリングコードシーケンスＸ１、Ｎｓｃｉｄ＝0に対応することを事前に定義している。
【０１６４】
2015534337.tif 000038
ここで、Ｘｎ）ｎ＝１、２）が式における
2015534337.tif 000039
を表し、Ｎｓｃｉｄが式における
2015534337.tif 000040
を表す。
【０１６５】
実施形態１２のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、ｅＰＤＣＣＨ検出クラスタ０のデフォルト事前定義とＰＤＳＣＨ  ＤＭＲＳスクランブリングコードシーケンスＸ０、Ｎｓｃｉｄ＝0に対応し、ｅＰＤＣＣＨ検出クラス１タのデフォルト事前定義がＰＤＳＣＨ  ＤＭＲＳスクランブリングコードシーケンスＸ１、Ｎｓｃｉｄ＝0に対応することを事前に定義している。
【０１６６】
2015534337.tif 000041
ここで、Ｘｎ）ｎ＝１、２）が式における
2015534337.tif 000042
を表し、Ｎｓｃｉｄが式における
2015534337.tif 000043
を表す。
【０１６７】
実施形態１３
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応する集約レベルを独立に設定する。端末は、基地局により配置されたＫ個のｅＰＤＣＣＨ検索クラスタと独立に設定された複数の集約レベルを受信することでｅＰＤＣＣＨを検出する。
【０１６８】
実施形態１３のサブ実施形態１
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が分散型ｅＰＤＣＣＨ検出クラスタであり、ｅＰＤＣＣＨ検出クラスタ２とｅＰＤＣＣＨ検出クラスタ３が集中型ｅＰＤＣＣＨ検出クラスタである。
【０１６９】
分散型ｅＰＤＣＣＨの場合、集約レベルがＸ０であり、
集中型ｅＰＤＣＣＨの場合、集約レベルがＸ１である。
【０１７０】
実施形態１３のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、集約レベルがＸ０であり
ｅＰＤＣＣＨ検出クラスタ１の場合、集約レベルがＸ１である。
【０１７１】
実施形態１４
基地局は、端末向け上位層シグナリングにより端末にＫ（Ｋ≧１）個のｅＰＤＣＣＨクラスタを配置し、また、基地局は、端末向け上位層シグナリングにより、各ｅＰＤＣＣＨ検索クラスタまたは各ｅＰＤＣＣＨ伝送モードクラスタが検出される時に対応する検索空間位置または検索空間開始位置を独立に設定する。端末は、基地局により配置されたＫ個のｅＰＤＣＣＨ検索クラスタと独立に設定された１つ以上の検出空間位置または検索空間開始位置を受信することでｅＰＤＣＣＨを検出する。
【０１７２】
実施形態１４のサブ実施形態１
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が分散型ｅＰＤＣＣＨであり、ｅＰＤＣＣＨ検出クラスタ２とｅＰＤＣＣＨ検出クラスタ３が集中型ｅＰＤＣＣＨである。
【０１７３】
分散型ｅＰＤＣＣＨの場合、検索空間位置または検索空間開始位置がＸ０であり、
集中型ｅＰＤＣＣＨの場合、検索空間位置または検索空間開始位置がＸ１である。
【０１７４】
実施形態１４のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１である。
【０１７５】
ｅＰＤＣＣＨ検出クラスタ０の場合、検索空間位置または検索空間開始位置がＸ０であり、
ｅＰＤＣＣＨ検出クラスタ１０の場合、検検索空間位置または検索空間開始位置がＸ１である。
【０１７６】
実施形態１５
基地局は、端末向け上位層シグナリングにより端末にＫ（Ｋ≧１）個のｅＰＤＣＣＨクラスタを配置し、また、Ｋの値が１つの特殊な値である場合、基地局は、端末向け上位層シグナリングにより各ｅＰＤＣＣＨ検索クラスタまたは各ｅＰＤＣＣＨ伝送モードクラスタが検出される時に対応するＤＣＩ  Ｆｏｒｍａｔ検出集合を独立に設定する。端末は、基地局により配置されたＫ個のｅＰＤＣＣＨ検索クラスタと独立に設定された１つ以上の検出空間位置または検索空間開始位置を受信することでｅＰＤＣＣＨを検出する。
【０１７７】
実施形態１５のサブ実施形態１
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が分散型ｅＰＤＣＣＨであり、ｅＰＤＣＣＨ検出クラスタ２とｅＰＤＣＣＨ検出クラスタ３が集中型ｅＰＤＣＣＨである。
【０１７８】
分散型ｅＰＤＣＣＨの場合、ＤＣＩ  Ｆｏｒｍａｔ検出集合がＸ０であり、
集中型ｅＰＤＣＣＨの場合、ＤＣＩ  Ｆｏｒｍａｔ検出集合がＸ１である。
【０１７９】
実施形態１５のサブ実施形態２
例えば配置されたｅＰＤＣＣＨ検出クラスタの数が２であり、即ちＫの値が２で、ｅＰＤＣＣＨ検出クラスタ０とｅＰＤＣＣＨ検出クラスタ１であり、
ｅＰＤＣＣＨ検出クラスタ０の場合、ＤＣＩ  Ｆｏｒｍａｔ検出集合がＸ０であり、
ｅＰＤＣＣＨ検出クラスタ１の場合、ＤＣＩ  Ｆｏｒｍａｔ検出集合がＸ１である。
【０１８０】
実施形態１６
基地局は、端末向け上位層シグナリングにより端末にＫ（Ｋ≧１）個のｅＰＤＣＣＨクラスタを配置し、また、Ｋの値が１つの特殊な値であり且つ分散型および集中型ｅＰＤＣＣＨ検索クラスタの数が一定の比関係が存在する場合、基地局は、端末向け上位層シグナリングにより各ｅＰＤＣＣＨ検索クラスタまたは各ｅＰＤＣＣＨ伝送モードクラスタが検出される時に対応するＤＣＩ  Ｆｏｒｍａｔ検出集合を独立に設定する。端末は、基地局により配置されたＫ個のｅＰＤＣＣＨ検索クラスタと独立に設定された１つ以上の検出空間位置または検索空間開始位置を受信することでｅＰＤＣＣＨを検出する。
【０１８１】
実施形態１６のサブ実施形態１
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が分散型ｅＰＤＣＣＨであり、ｅＰＤＣＣＨ検出クラスタ２とｅＰＤＣＣＨ検出クラスタ３が集中型ｅＰＤＣＣＨであり、即ち分散型ｅＰＤＣＣＨクラスタと集中型ｅＰＤＣＣＨクラスタの数の比関係が２：２である。
【０１８２】
分散型ｅＰＤＣＣＨの場合、ＤＣＩ  Ｆｏｒｍａｔ検出集合がＸ０であり、
集中型ｅＰＤＣＣＨの場合、ＤＣＩ  Ｆｏｒｍａｔ検出集合がＸ１である。
【０１８３】
実施形態１６のサブ実施形態２
例えば配置されたｅＰＤＣＣＨ検出クラスタの数が４であり、即ちＫの値が４であり、ｅＰＤＣＣＨ検出クラスタ０とｅＰＤＣＣＨ検出クラスタ１が分散型ｅＰＤＣＣＨであり、ｅＰＤＣＣＨ検出クラスタ２とｅＰＤＣＣＨ検出クラスタ３が集中型ｅＰＤＣＣＨであり、即ち分散型ｅＰＤＣＣＨクラスタと集中型ｅＰＤＣＣＨクラスタの数の比関係が２：２である。
【０１８４】
ｅＰＤＣＣＨ検出クラスタ０の場合、ＤＣＩ  Ｆｏｒｍａｔ検出集合がＸ０であり、
ｅＰＤＣＣＨ検出クラスタ１の場合、ＤＣＩ  Ｆｏｒｍａｔ検出集合がＸ０である。
【０１８５】
ｅＰＤＣＣＨ検出クラスタ２の場合、ＤＣＩ  Ｆｏｒｍａｔ検出集合がＸ１であり、
ｅＰＤＣＣＨ検出クラスタ３の場合、ＤＣＩ  Ｆｏｒｍａｔ検出集合がＸ１である。
【０１８６】
実施形態１７
基地局は、端末向け上位層シグナリングおよび／または物理層シグナリングにより、１つのｅＰＤＣＣＨ端末が時間−周波数リソースを共有するもう一つのＤＭＲＳアンテナポートがもう一つのユーザーのｅＰＤＣＣＨまたはＰＤＳＣＨ伝送に用いられるかどうかを仮定する必要があるかどうかを通知する。
【０１８７】
端末は、端末向け上位層シグナリングおよび／または物理層シグナリングを受信することで１つのｅＰＤＣＣＨ端末がｅＰＤＣＣＨリソースを検出する時に、時間−周波数リソースを共有するもう一つのＤＭＲＳアンテナポートがもう一つのユーザーのｅＰＤＣＣＨまたはＰＤＳＣＨ伝送に用いられるかどうかを仮定する必要があるかどうかを取得する。
【０１８８】
前記ＤＭＲＳアンテナポートは、ポート１０７、１０８、１０９、１１０を含み、その中に、ポート１０７、１０８が時間−周波数リソースを共有し、ポート１０９、１１０が時間−周波数リソースを共有する。
【０１８９】
実施形態１７のサブ実施形態１
基地局は、Ｋ個のｅＰＤＣＣＨ検出クラスタを配置することで、Ｋ個のｅＰＤＣＣＨ検出クラスタにおいて時間−周波数リソースを共有するもう一つのＤＭＲＳアンテナポートがもう一つのユーザーのｅＰＤＣＣＨまたはＰＤＳＣＨ伝送に用いられるかどうかを仮定するように端末を独立に配置する。
【０１９０】
端末は、端末向け上位層シグナリングにより、配置されたＫ個のｅＰＤＣＣＨ検出クラスタを取得し、また、ｅＰＤＣＣＨリソースを検出する時にＫ個のｅＰＤＣＣＨ検出クラスタにおいてもう一つの時間―周波数リソースを共有するＤＭＲＳアンテナポートがもう一つのユーザーのｅＰＤＣＣＨまたはＰＤＳＣＨ伝送チャネル推定に用いられるかどうかを仮定するように端末を独立に配置する上位層シグナリングを受信し、そして受信された上位層シグナリンにより、ＤＭＲＳのチャネル推定を行う。
【０１９１】
実施形態１７のサブ実施形態２
基地局は、Ｋ個のｅＰＤＣＣＨ検出クラスタを配置することで、Ｋ個のｅＰＤＣＣＨ検出クラスタの一部またはすべてのクラスタにおいてもう一つの時間−周波数リソースを共有するＤＭＲＳアンテナポートがもう一つのユーザーのｅＰＤＣＣＨまたはＰＤＳＣＨ伝送に用いられるかどうかを仮定するように端末を配置する。
【０１９２】
端末は、端末向け上位層シグナリングにより、配置されたＫ個のｅＰＤＣＣＨ検出クラスタを取得し、また、配置される端末がｅＰＤＣＣＨリソースを検出する時にＫ個のｅＰＤＣＣＨ検出クラスタの一部またはすべてのクラスタにおいて時間―周波数リソースを共有するもう一つのＤＭＲＳアンテナポートがもう一つのユーザーのｅＰＤＣＣＨまたはＰＤＳＣＨ伝送チャネルに用いられるかどうかを仮定するようにすることを取得する。
【０１９３】
実施形態１７のサブ実施形態３
基地局は、Ｘ個のサブフレームクラスタを配置することで、Ｘ個のサブフレームクラスタの一部またはすべてのクラスタにおいて時間−周波数リソースを共有するもう一つのＤＭＲＳアンテナポートがもう一つのユーザーのｅＰＤＣＣＨまたはＰＤＳＣＨ伝送に用いられるかどうかを仮定するように端末を配置する。
【０１９４】
端末は、端末向け上位層シグナリングにより、配置されたＸ（Ｘ>０）個のサブフレームクラスタを取得し、また、配置される端末がｅＰＤＣＣＨリソースを検出する時にＸ（Ｘ>０）個のサブフレームの一部またはすべてのクラスタにおいて時間−周波数リソースを共有するもう一つのＤＭＲＳアンテナポートがもう一つのユーザーのｅＰＤＣＣＨまたはＰＤＳＣＨ伝送に用いられるかどうかを仮定するか、取得する。
【０１９５】
実施形態１８
端末は、ｅＰＤＣＣＨリソースを検出する時に、時間−周波数リソースを共有するもう一つのＤＭＲＳアンテナポートがもう一つのユーザーのｅＰＤＣＣＨまたはＰＤＳＣＨ伝送に用いられないことを常時仮定する。
【０１９６】
前記ＤＭＲＳアンテナポートは、ｅＰＤＣＣＨを復調することに用いられ、ポート１０７、１０８、１０９、１１０を含み、その中、ポート１０７、１０８が時間−周波数リソースを共有し、ポート１０９、１１０が時間−周波数リソースを共有する。
【０１９７】
実施形態１９
端末は、ｅＰＤＣＣＨ伝送モードに基づいて、ｅＰＤＣＣＨリソースを検出する時に、時間−周波数リソースを共有するもう一つのＤＭＲＳアンテナポートがもう一つの端末のｅＰＤＣＣＨまたはＰＤＳＣＨ伝送に用いられるかどうかを仮定する必要があるかどうかを確定する。
【０１９８】
前記端末が集中型ｅＰＤＣＣＨに配置された場合、前記端末は、ｅＰＤＣＣＨリソースを検出する時に、時間−周波数リソースを共有するもう一つのＤＭＲＳアンテナポートがもう一つの端末のｅＰＤＣＣＨまたはＰＤＳＣＨ伝送に用いられないことを常時仮定することに用いられる。
【０１９９】
前記端末が分散型ｅＰＤＣＣＨに配置された場合、前記端末は、ｅＰＤＣＣＨリソースを検出する時に、時間−周波数リソースを共有するもう一つのＤＭＲＳアンテナポートがもう一つの端末のｅＰＤＣＣＨまたはｅＰＤＣＣＨ伝送に用いられないことを仮定できないことに用いられる。
【０２００】
ＤＭＲＳアンテナポートは、ｅＰＤＣＣＨを復調することに用いられ、ポート１０７、１０８、１０９、１１０を含み、その中、ポート１０７、１０８が時間−周波数リソースを共有し、ポート１０９、１１０が時間−周波数リソースを共有する。
【０２０１】
本発明に係る強化型ダウンリンク制御チャネルの配置、検出方法により、基地局側は、端末のためにｅＰＤＣＣ検出パラメータを柔軟に設定し、それによってｅＰＤＣＣＨが柔軟に複数のＴＰ間に動的な切り替えを行うことが可能となり、且つ基地局側がｅＰＤＣＣＨのスケジューリング情報を柔軟に設定することになり、これによりｅＰＤＣＣＨがより強い安定性を持つ。
【０２０２】
図１は本発明の実施形態に係る強化型ダウンリンク制御チャネルの配置装置の配置構造図であり、図１に示すように、この例の強化型ダウンリンク制御チャネルの配置装置は、
端末にＫ個のｅＰＤＣＣＨ検出クラスタを配置するように配置される第一の配置ユニット１０と、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスと物理ダウンリンク共有チャネルＰＤＳＣＨのＤＭＲＳスクランブリングコードシーケンスとの対応関係を独立に設定する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンクスケジューリングインジケータフォーマットＤＣＩ  ＦｏｒｍａｔまたはＤＣＩ  Ｆｏｒｍａｔ集合を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上のシグナリングを通知しないまたは取得しない場合のデフォルト値またはデフォルト動作を独立に事前に定義するまたは独立に設定する、
および／または、ｅＰＤＣＣＨに２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置を少なくとも一つ含む第二の配置ユニット１１と、を含む。
【０２０３】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上を少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用い、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含む。
【０２０４】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされた場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタに対してＨＡＲＱがフィードバックされた場合のＰＵＣＣＨの動的リソース位置インジケータシグナリングを独立に設定し、前記的リソース位置インジケータシグナリングインジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示する。
【０２０５】
図１に示す強化型ダウンリンク制御チャネルの配置装置に基づき、本発明の強化型ダウンリンク制御チャネルの配置装置は、
Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置された場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定するように配置される確定ユニット（図１に示されない）をさらに含む。
【０２０６】
本分野の当業者は、前記確定ユニットが本発明の強化型ダウンリンク制御チャネルの配置装置を最適化するために設置されるものであり、本発明の強化型ダウンリンク制御チャネルの配置装置の基本的な目的を達成するための必要な技術手段ではないと理解すべきである。
【０２０７】
前記伝送モードのｅＰＤＣＣＨ検出クラスタ集合は、集中伝送型ｅＰＤＣＣＨ検出クラスタ、分散型伝送型ｅＰＤＣＣＨ検出クラスタを含む。即ち、伝送モードのｅＰＤＣＣＨは、集中伝送型ｅＰＤＣＣＨと分散伝送型ｅＰＤＣＣＨという２種類のｅＰＤＣＣＨを含む。
【０２０８】
前記第二の配置ユニット１１は、さらに、特定のＫ値に対して、異なるＤＣＩ  Ｆｏｒｍａｔ集合を設定し、
特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を設定し、
各ｅＰＤＣＣＨ検出クラスタが検出されるＤＣＩ  Ｆｏｒｍａｔ集合を設定する。
【０２０９】
本分野の当業者は、図１に示す強化型ダウンリンク制御チャネルの配置装置における各処理ユニットの実現機能について前記強化型ダウンリンク制御チャネルの配置、検出方法に関する説明を参照して理解することができると理解すべきである。本分野の当業者は、図１に示す強化型ダウンリンク制御チャネルの配置装置における各処理ユニットの実現機能がプロセッサに実行されるプログラムにより実現されることができ、具体的な論理回路により実現されることができると理解すべきである。
【０２１０】
また、本発明の実施形態は、図１に示す強化型ダウンリンク制御チャネルの配置装置を備える。
【０２１１】
図２は本発明の実施形態に係る強化型ダウンリンク制御チャネルの配置構造図であり、図２に示すように、この例の強化型ダウンリンク制御チャネルの配置装置は、
強化型ダウンリンク制御チャネルを検出するように配置される検出ユニット２０と、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスを取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得する、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔ集合を取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび検索空間開始位置を取得する、
および／または、前記情報を取得しない場合、端末が前記Ｋ個のｅＰＤＣＣＨ検出クラスタの各ｅＰＤＣＣＨ検出クラスタまたは異なる伝送モードのｅＰＤＣＣＨ検出クラスタを取得するために用いるデフォルト値またはデフォルト動作を独立に事前に定義するまたは独立に設定する、
および／または、前記ｅＰＤＣＣＨの２つ以上のサブフレーム検出クラスタを配置する時に、異なるサブフレーム検出クラスタに対して、異なるｅＰＤＣＣＨ検出クラスタ配置および／またはｅＰＤＣＣＨまたはＰＤＣＣを用いて検出することを取得し、ｅＰＤＣＣＨ検出クラスタ配置が検出クラスタの数、検出クラスタにおける検出すべき集約レベル、検出クラスタにおける検出すべきリソース位置のうちの少なくとも一つを含むように配置される取得ユニット２１と、を含む。
【０２１２】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、ポート１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時にＤＭＲＳスクランブリングコードシーケンスとＰＤＳＣＨ  ＤＭＲＳスクランブリングコードシーケンスとの対応関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上を少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記ｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報が、ＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含む。
【０２１３】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定し、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨを検出するか、どのサブフレームにＰＤＣＣＨを検出するかを指示して、前記端末が異なるサブフレーム内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出を行う時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおいて示されるダウンリンクデータＨＡＲＱフィードバックに対して独立に設定されたＰＵＣＣＨ動的リソース位置インジケータシグナリングを用いることを指示する。
【０２１４】
図２に示す強化型ダウンリンク制御チャネルの検出装置に基づき、本発明の強化型ダウンリンク制御チャネルの検出装置は、
前記取得ユニットにより取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ−ＲＮＴＩおよび／または事前定義済みルールに基づいて２つ以上のＤＭＲＳのアンテナポートに１つのＤＭＲＳポートを検出ポートとして確定するように配置される確定ユニット（図２に示されない）をさらに含む。
【０２１５】
当業者は、前記確定ユニットが本発明の強化型ダウンリンク制御チャネルの検出装置を最適化するために設置されるものであり、本発明の強化型ダウンリンク制御チャネルの検出装置の基本的な目的を達成するために必要な技術手段ではないと理解すべきである。
【０２１６】
前記伝送モードのｅＰＤＣＣＨ検出クラスタは、集中型伝送型ｅＰＤＣＣＨ検出クラスタ、分散型ｅＰＤＣＣＨ検出クラスタを含む。
【０２１７】
前記検出ユニット２０は、さらに、特定のＫ値に対して、異なるＤＣＩ  Ｆｏｒｍａｔ集合を用いて検出し、
特定のＫ個のｅＰＤＣＣＨ検出クラスタと特定の分散伝送型および集中伝送型ｅＰＤＣＣＨ検出クラスタに対して異なるＤＣＩ  Ｆｏｒｍａｔ集合を用いて検出し、
取得された各ｅＰＤＣＣＨ検出クラスタに対してＤＣＩ  Ｆｏｒｍａｔ集合を用いて検出するように配置される。
【０２１８】
本分野の当業者は、図２に示す強化型ダウンリンク制御チャネルの検出装置における各処理ユニットの実現機能が前記強化型ダウンリンク制御チャネルの配置、検出方法に関する説明を参照して理解されることができると理解すべきである。当業者は、図２に示す強化型ダウンリンク制御チャネルの検出装置における各処理ユニットの機能がプロセッサに実行されるプログラムにより実現されることができ、具体的な論理回路により実現されることもできると理解すべきである。
【０２１９】
本発明には、前記図２に示す強化型ダウンリンク制御チャネルの検出装置を含む端末がさらに記載される。
【０２２０】
明らかに、本分野の当業者は、上述した本発明の各処理ユニットまたは各ステップが汎用コンピューティング装置により実現されることができ、それが単一のコンピューティング装置に集中され、または複数の汎用コンピューティング装置からなるネットワークに分散されることができ、または、それがコンピューティング装置で実行可能なプログラムコードで実現されることができ、それによって、それらを記憶装置に記憶してコンピューティング装置によって実行し、または、それらをそれぞれ各集積回路モジュールに作り、またはそれらのうちの複数のモジュールまたはステップを単一の集積回路モジュールに作って実現することができると理解すべきである。このようにして、本発明は、いからなる特定のハードウェアとソフトウェアの組み合わせに限定されない。
【０２２１】
以上は、本発明の最適的な実施例に過ぎなく、本発明の保護範囲を制限することに用いられるものではない。
【産業上の利用可能性】
【０２２２】
本発明の技術的なスキームにより、基地局側は、端末のためにｅＰＤＣＣＨ検出パラメータを柔軟に設定することができ、それによってｅＰＤＣＣＨが柔軟に複数のＴＰ間に動的な切り替えを行うことが可能となり、且つ基地局側がｅＰＤＣＣＨのスケジューリング情報を柔軟に設定することになり、これによりｅＰＤＣＣＨがより強い安定性を有する。
【図１】
2015534337.tif 000044
【図２】
2015534337.tif 000045
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
端末のためにＫ個のｅＰＤＣＣＨ検出クラスタを配置する、強化型ダウンリンク制御チャネルの配置方法であって、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する復調基準信号ＤＭＲＳのアンテナポートインデックスを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスと物理ダウンリンク共有チャネルＰＤＳＣＨのＤＭＲＳスクランブリングコードシーケンスとの対応関係を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する共通基準信号ＣＲＳレートマッチングリソースを独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するチャネル状態情報ＣＳＩ測定プロセス配置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンク制御情報フォーマットＤＣＩ  ＦｏｒｍａｔまたはＤＣＩ  Ｆｏｒｍａｔ集合を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定すること、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上のシグナリングを通知しないまたは取得しない場合のデフォルト値またはデフォルト動作を独立に事前に定義するまたは独立に設定すること、
ｅＰＤＣＣＨのために２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むことを、含む方法。
【請求項２】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、１０７、１０８、１０９、１１０のうちの少なくとも一つであることを特徴とする
請求項１に記載の方法。
【請求項３】
前記Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置される場合、強化型制御チャネルユニットｅＣＣＥおよび／またはセル無線ネットワーク一時識別子Ｃ―ＲＮＴＩおよび／または事前定義済みルールに基づいて２つ以上のＤＭＲＳアンテナポートに１つのＤＭＲＳポートを検出ポートとして確定することを特徴とする
請求項２に記載の方法。
【請求項４】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、
ＣＲＳのポート数、ＣＲＳの周波数領域位置、ＣＲＳのセル識別子のうちの少なくとも一つを含むことを特徴とする
請求項１に記載の方法。
【請求項５】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、
ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含むことを特徴とする
請求項１に記載の方法。
【請求項６】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、
０、１、２、３、４、または、ＰＣＦＩＣＨを検出して取得されたｅＰＤＣＣＨ開始シンボルの数の値のうちの１つ以上を少なくとも一つを含むことを特徴とする
請求項１に記載の方法。
【請求項７】
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、
前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
ここで、前記大規模な情報は、
ＮＺＰ  ＣＳＩ−ＲＳに対応する遅延拡張、ＮＺＰ  ＣＳＩ−ＲＳに対応する各経路遅延、ＮＺＰ  ＣＳＩ−ＲＳに対応するドップラーシフト、ＮＺＰ  ＣＳＩ−ＲＳに対応するドップラー拡張、ＮＺＰ  ＣＳＩ−ＲＳに対応する平均受信電力のうちの少なくとも一つを含むことを特徴とする
請求項１に記載の方法。
【請求項８】
強化型ダウンリンク制御チャネルの検出方法であって、
端末が強化型ダウンリンク制御チャネルを検出するステップと、
Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するステップと、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ利用可能なリソース要素を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ開始シンボルＩＤ集合を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得するステップ、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルと検索空間開始位置を取得するステップ、
および／または、前記情報を取得しない場合、端末を独立に事前に定義するまたは配置して前記Ｋ個のｅＰＤＣＣＨ検出クラスタの各ｅＰＤＣＣＨ検出クラスタまたは異なる伝送モードのｅＰＤＣＣＨ検出クラスタに用いられるデフォルト値またはデフォルト動作を取得するステップ、
および／または、ｅＰＤＣＣＨのために２つ以上のサブフレーム検出クラスタを配置することを取得する場合、異なるサブフレーム検出クラスタに対して異なるｅＰＤＣＣＨ検出クラスタ配置及び／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むステップとを、含むことを特徴とする方法。
【請求項９】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースがＣＲＳのポートの数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、３、４、またはＰＣＦＩＣＨを検出して取得されたｅＰＤＣＣＨ開始シンボルの数の値のうちの１つ以上を一つ少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ測定プロセスを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されたＣＳＩ測定プロセスとの関連情報を用いることを含み、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出する時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおける示されるダウンリンクデータＨＡＲＱフィードバックに対して独立に設定されたＰＵＣＣＨ動的リソース位置インジケータシグナリングを用いることを指示することを特徴とする
請求項請求項８に記載の方法。
【請求項１０】
前記取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定することを特徴とする
請求項９に記載の方法。
【請求項１１】
強化型ダウンリンク制御チャネルの配置装置であって、
端末のためにＫ個のｅＰＤＣＣＨ検出クラスタを配置するように配置される第一の配置ユニットと、
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスまたはスクランブリングコードシーケンスインデックスを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を独立に設定する、
および／または前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ伝送利用可能なリソース要素を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出開始シンボル位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきダウンリンクスケジューリングインジケータフォーマットＤＣＩ  ＦｏｒｍａｔまたはＤＣＩ  Ｆｏｒｍａｔ集合を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを独立に配置する、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルおよび／または検索空間開始位置および／または検索空間位置を独立に設定する、
および／または、前記Ｋ個のｅＰＤＣＣＨ検出クラスタの各ｅＰＤＣＣＨ検出クラスタまたは異なる伝送モードのｅＰＤＣＣＨ検出クラスタが以上シグナリングを通知しないまたは取得しない場合のデフォルト値またはデフォルト動作を独立に事前に定義するまたは独立に設定する、
および／または、ｅＰＤＣＣＨのために２つ以上のサブフレーム検出クラスタを配置し、異なるサブフレーム検出クラスタに対して、異なるｅＰＤＣＣＨ検出クラスタ配置および／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置を少なくとも一つ含む第二の配置ユニットとを、含む装置。
【請求項１２】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、１０７、１０８、１０９、１１０のうちの少なくとも一つであり、
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの関係を独立に設定し、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報が、ＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対してｅＰＤＣＣＨ検出サブフレームクラスタを独立に配置することを含み、前記ｅＰＤＣＣＨ検出サブフレームクラスタが、前記端末がどのサブフレームにｅＰＤＣＣＨを検出するか、どのサブフレームにＰＤＣＣＨを検出するかを指示して、または前記端末が異なるサブフレームクラスタに異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出する時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおける示されるダウンリンクデータＨＡＲＱフィードバックに対して独立に設定されたＰＵＣＣＨ動的リソース位置インジケータシグナリングを用いることを指示することを特徴とする
請求項１１に記載の装置。
【請求項１３】
前記装置は、
Ｋ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上に配置される場合、ｅＣＣＥおよび／またはＣ−ＲＮＴＩおよび／または事前定義済みルールに基づいて２つ以上のＤＭＲＳアンテナポートに１つのＤＭＲＳポートを検出ポートとして確定するように配置される確定ユニットをさらに含むことを特徴とする
請求項１２に記載の装置。
【請求項１４】
強化型ダウリンク制御チャネルの検出装置であって、
強化型ダウリンク制御チャネルを検出するように配置される検出ユニットと、
Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスインデックスを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳスクランブリングコードシーケンスとＰＤＳＣＨのＤＭＲＳスクランブリングコードシーケンスとの対応関係を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＲＳレートマッチングリソースを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ利用可能なリソース要素を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ開始シンボルＩＤ集合を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＣＳＩ測定プロセス配置を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＮＺＰ  ＣＳＩ−ＲＳ配置を取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する検出すべきＤＣＩ  ＦｏｒｍａｔまたはＤＣＩ  Ｆｏｒｍａｔを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するｅＰＤＣＣＨ検出サブフレームクラスタを取得するように配置される、
および／または、前記Ｋ個のｅＰＤＣＣＨ検出クラスタの各ｅＰＤＣＣＨ検出クラスタまたは異なる伝送モードのｅＰＤＣＣＨ検出クラスタが検出される時に対応する集約レベルと検索空間開始位置を取得するように配置される、
および／または、前記情報を取得しない場合、端末を独立に事前に定義するまたは配置して前記Ｋ個のｅＰＤＣＣＨ検出クラスタの各ｅＰＤＣＣＨ検出クラスタまたは異なる伝送モードのｅＰＤＣＣＨ検出クラスタに用いられるデフォルト値またはデフォルト動作を取得するように配置される、
および／または、ｅＰＤＣＣＨに２つ以上のサブフレーム検出クラスタを配置することを取得する場合、異なるサブフレーム検出クラスタに対して、異なるｅＰＤＣＣＨ検出クラスタ配置及び／またはｅＰＤＣＣＨまたはＰＤＣＣＨを用いて検出し、ｅＰＤＣＣＨ検出クラスタ配置が検出クラスタの数、検出クラスタにおける検出すべき集約レベル、検出クラスタにおける検出すべきリソース位置のうちの少なくとも一つを含むように配置される取得ユニットと、を含む装置。
【請求項１５】
前記Ｋ個のｅＰＤＣＣＨ検出クラスタの各ｅＰＤＣＣＨ検出クラスタまたは異なる伝送モードのｅＰＤＣＣＨ検出クラスタが検出される時に対応するＤＭＲＳのアンテナポートは、１０７、１０８、１０９、１１０のうちの少なくとも一つであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係は、ＰＤＳＣＨ  ＤＭＲＳにスクランブリングコードシーケンス識別子が設定された場合、前記Ｋ個のｅＰＤＣＣＨ検出クラスタの各ｅＰＤＣＣＨ検出クラスタが検出される時に対応するＤＭＲＳスクランブリングコードシーケンスとＰＤＳＣＨ  ＤＭＲＳスクランブリングコードシーケンスとの対応関係を独立に設定することであり、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＲＳレートマッチングリソースは、ＣＲＳのポート数、ＣＲＳの周波数領域位置、ＣＲＳのセル識別子のうちの少なくとも一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ利用可能なリソース要素は、ＣＲＳレートマッチングリソース、ＺＰ  ＣＳＩ−ＲＳのレートマッチングリソース、ｅＰＤＣＣＨ開始シンボル、特殊サブフレーム配置、巡回プレフィックスＣＰ長さ設定のうちの少なくとも一つを含み、
好ましくは、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ開始シンボルＩＤ集合は、０、１、２、３、４、または、ＰＣＦＩＣＨを検出して取得された開始シンボルの数の値のうちの１つ以上を少なくとも含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＣＳＩ測定プロセス配置は、前記端末のためにＣＳＩ  Ｐｒｏｃｅｓｓを配置する場合、前記ｅＰＤＣＣＨ検出クラスタの各ｅＰＤＣＣＨ検出クラスタまたは各伝送モードのｅＰＤＣＣＨ検出クラスタが検出されるために必要な、大規模な情報について、配置されるＣＳＩ測定プロセスとの関連情報を用いることを含み、その中、前記大規模な情報がＣＳＩ測定プロセスに対応する遅延拡張、ＣＳＩ測定プロセスに対応する各経路遅延、ＣＳＩ測定プロセスに対応するドップラーシフト、ＣＳＩ測定プロセスに対応するドップラー拡張、ＣＳＩ測定プロセスに対応する平均受信電力のうちの少なくとも一つを含み、前記ＣＳＩ測定プロセスがＣＳＩ測定プロセスの測定リソース、ＣＳＩ測定プロセスとＣＳＩ測定サブフレームクラスタ配置の測定リソース、ＮＺＰ  ＣＳＩ−ＲＳ測定リソースのうちの一つを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するＮＺＰ  ＣＳＩ−ＲＳ配置は、前記端末のために測定集合を設定する場合、前記Ｋ個のｅＰＤＣＣＨ検出クラスタの各ｅＰＤＣＣＨ検出クラスタまたは各伝送モードのｅＰＤＣＣＨ検出クラスタが検出されるために必要な、大規模な情報について、対応して設定された測定集合における１つのＮＺＰ  ＣＳＩ−ＲＳとの関連情報を用いることを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する検出すべきＤＣＩ  Ｆｏｒｍａｔは、前記Ｋ個のｅＰＤＣＣＨ検出クラスタの各ｅＰＤＣＣＨ検出クラスタまたは各伝送モードのｅＰＤＣＣＨ検出クラスタに対して、前記端末が各ｅＰＤＣＣＨ検出クラスタまたは各伝送モードのｅＰＤＣＣＨ検出クラスタに検出する必要があるＤＣＩ  ＦｏｒｍａｔまたはＤＣＩ  Ｆｏｒｍａｔの集合を独立に設定することを含み、
前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームが、前記端末がどのサブフレームにｅＰＤＣＣＨを検出するか、どのサブフレームにＰＤＣＣＨを検出するかを指示して、または、前記端末が異なるサブフレームクラスタ内に異なるｅＰＤＣＣＨ検出クラスタ配置を用いることを指示して、または、前記Ｋ個のｅＰＤＣＣＨ検出クラスタの各ｅＰＤＣＣＨ検出クラスタまたは各伝送モードのｅＰＤＣＣＨ検出クラスタが検出される時に対応するｅＰＤＣＣＨ検出サブフレームクラスタは、前記Ｋ個のｅＰＤＣＣＨ検出クラスタの各ｅＰＤＣＣＨ検出クラスタまたは各伝送モードのｅＰＤＣＣＨ検出クラスタに対して、ｅＰＤＣＣＨ検出サブフレームクラスタを独立に配置することを含み、前記ｅＰＤＣＣＨ検出サブフレームクラスタが、前記端末がどのサブフレームにｅＰＤＣＣＨの専有検索空間を検出するか、別のいくつかのサブフレームにＰＤＣＣＨの専有検索空間を検出することを指示して、
前記Ｋ個のｅＰＤＣＣＨ検出クラスタの各ｅＰＤＣＣＨ検出クラスタまたは各伝送モードのｅＰＤＣＣＨ検出クラスタが検出される時に対応する、ＨＡＲＱがフィードバックされる場合のＰＵＣＣＨの動的リソース位置インジケータシグナリングは、前記Ｋ個のｅＰＤＣＣＨ検出クラスタの各ｅＰＤＣＣＨ検出クラスタまたは各伝送モードのｅＰＤＣＣＨ検出クラスタ検出する時に対応するＨＡＲＱがフィードバックされる場合のＰＵＣＣＨの動的リソース位置インジケータシグナリングを独立に設定することを含み、前記動的リソース位置インジケータシグナリングが、前記端末が異なるｅＰＤＣＣＨにおける示されるダウンリンクデータＨＡＲＱフィードバックに対して独立に設定されたＰＵＣＣＨ動的リソース位置インジケータシグナリングを用いることを指示することを特徴とする
請求項１４に記載の装置。
【請求項１６】
前記装置は、
前記取得ユニットにより取得されたＫ個のｅＰＤＣＣＨ検出クラスタの１つのｅＰＤＣＣＨ検出クラスタまたは１種類の伝送モードのｅＰＤＣＣＨ検出クラスタが検出される時に対応するＤＭＲＳアンテナポートが２つ以上である場合、ｅＣＣＥおよび／またはＣ―ＲＮＴＩおよび／または事前定義済みルールに基づいて２つ以上のＤＭＲＳのアンテナポートに１つのＤＭＲＳポートを検出ポートとして確定するように配置される確定ユニットをさらに含むことを特徴とする
請求項１５に記載の装置。
【請求項１７】
請求項１４乃至１６のいずれか１項に記載の強化型ダウンリンク制御チャネルの検出装置を含む端末。
【国際調査報告】
2015534337.tif 000046
2015534337.tif 000047
2015534337.tif 000048
2015534337.tif 000049